(57)【要約】      （修正有）【課題】タイル間の継ぎ目の視認性をなくし、ピクセルに対する電気的なアクセスを確保する。【解決手段】ピクセル位置を含むディスプレイタイル１２０から形成されるタイル張りディスプレイ装置１００。ピクセル領域はＯＬＥＤ活性領域を有し、各タイルはメモリと、タイルの背面側に設けられたピクセル駆動回路とを有し、タイル前側のピクセル電極への接続部は、活性ピクセル材料でないピクセル領域中の非選択領域を貫通するバイアによって形成される。タイルは、エレクトロニクス部分とディスプレイ部分とによって形成され、複数のピクセル位置を覆う、横又は縦列電極に対してだけ電気的な接続部を形成する接続パッドを有する。各タイルは、前面にガラス基板を有し、ガラス基板の全面には黒色マトリクスラインが形成され、ラインと同じ外観をもつ中方立てによって接合される。【選択図】図１
2010015163.tif 000002
【特許請求の範囲】
【請求項１】
上面と底面とを有し、複数の電気信号を形成するための回路を有する回路基板と、
所定の領域を有する画素（ピクセル）構造とを備え、
前記所定の領域は、
前記回路基板の上面に接続され、前記複数の電気信号のうちの第１の電気信号を受ける第１の電極と、
底面と上面とを有し、底面が前記第１の電極に近接されているディスプレイ材料と、
前記ディスプレイ材料の上面に近接して位置する第２の電極と、
を有し、
更に、前記回路基板の前記上面から前記ピクセル構造を貫通して延び、複数の
電気信号のうちの第２の電気信号を受けるために第２の電極に接続する接続バイ
アを備え、前記第１の電極と前記ディスプレイ材料は、接続バイアが前記第１の
電極又は前記ディスプレイ材料と干渉しないように、その寸法が設定されて配置
されている電子ディスプレイ構造。
【請求項２】
前記回路基板に接続され且つ横列及び縦列としてマトリクス状に配列された複数のピクセル構造を更に備え、接続ビアがタイルの縁部に沿ってピクセルを貫通して形成されるように、前記複数のピクセル構造のそれぞれのディスプレイ材料は、ピセル領域の中心から水平方向及び垂直方向の少なくともいずれかの方向にオフセットされている、請求項１に記載の電子ディスプレイ構造。
【請求項３】
横列と縦列とを有するマトリクス状に配置され、電気信号を受けるための複数のコンタクトを有する複数のピクセル構造と、
上面と底面とを有する回路基板と、
前記回路基板の底面に接続され、表示される画像データを記憶するメモリと、
前記回路基板の底面に接続され、メモリに記憶された画像データに応じて、複数のピクセル構造のそれぞれを作動状態に設定する複数の電気信号を形成するピクセル駆動回路と、
前記回路基板の底面に接続され、タイミング信号に応じてピクセル駆動回路を連続的に走査して、前記ピクセル構造のマトリクスの連続する横列に電気信号を供給するタイミング回路と、
前記回路基板の上面に接続され、前記ピクセル駆動回路によって形成された複数の電気信号を受けるとともに、ピクセル構造のマトリクスの複数のコンタクトと１対１の通信を行なう複数の電気コンタクトと、
前記回路基板の上面の複数の電気コンタクトを前記ピクセル構造のマトリクスの複数のコンタクトに接続するための手段と、
を備えている電子ディスプレイ構造。
【請求項４】
画像補正情報を記憶する第２のメモリを更に備え、画像補正情報は、各ピクセル構造のため、ピクセル構造の実際の照明レベルとピクセル構造のそれぞれの所望の照明レベルとの間の差を示しており、
また、前記第２のメモリに接続されるとともに、各ピクセル構造の輝度を調節するためにピクセル駆動回路に接続されてピクセル駆動回路によって駆動され、ピクセル構造の実際の照明レベルとピクセル構造のそれぞれの所望の照明レベルとの間の差を補償する補償回路を備えている請求項３に記載の電子ディスプレイ構造。
【請求項５】
前記ピクセル駆動回路はパルス幅変調回路を有し、該パルス幅変調回路は、ピクセル構造が照明される時間と照明されない時間とを相対的に変化させることによってピクセル構造のグレースケールを達成し、
前記補償回路は、ピクセル構造を照明するために各ピクセル構造に印加される操作電力を調整する可変供給回路を有している請求項４に記載の電子ディスプレイ構造。
【請求項６】
複数の画像タイルから成るタイル張りディスプレイ構造において、各タイルは、
横列と縦列とを有するマトリクス状に配置され、電気信号を受けるための複数のコンタクトを有する複数のピクセル構造と、
上面と底面とを有する回路基板と、
前記回路基板の底面に接続され、表示される画像データを記憶するメモリと、
前記回路基板の底面に接続され、前記メモリに記憶された画像データに応じて、複数のピクセル構造のそれぞれを作動状態に設定する複数の電気信号を形成するピクセル駆動回路と、
前記回路基板の底面に接続され、タイミング信号に応じてピクセル駆動回路を連続的に走査して、ピクセル構造のマトリクスの連続する横列に電気信号を供給するタイミング回路と、
前記回路基板の上面に接続され、前記ピクセル駆動回路によって形成された複数の電気信号を受けるとともに、ピクセル構造のマトリクスの複数のコンタクトと１対１の通信を行なう複数の電気コンタクトと、
前記回路基板の上面の複数の電気コンタクトをピクセル構造のマトリクスの複数のコンタクトに接続するための手段と、
複数の画像タイルに操作電力を供給するとともにタイル張りディスプレイ構造を形成するために複数の画像タイルを位置決め保持する強固な接続部を有する強固な背面パネル構造と、
を備えているタイル張りディスプレイ構造。
【請求項７】
複数の画像タイルから成るタイル張りディスプレイ構造において、各タイルは、
横列と縦列とを有するマトリクス状に配置され、電気信号を受けるための複数のコンタクトを有する複数のピクセル構造と、
上面と底面とを有する回路基板と、
前記回路基板の底面に接続され、表示される画像データを記憶するメモリと、
前記回路基板の底面に接続され、メモリに記憶された画像データに応じて、複数のピクセル構造のそれぞれを作動状態に設定する複数の電気信号を形成するピクセル駆動回路と、
前記回路基板の底面に接続され、タイミング信号に応じてピクセル駆動回路を連続的に走査して、ピクセル構造のマトリクスの連続する横列に電気信号を供給するタイミング回路と、
前記回路基板の上面に接続され、前記ピクセル駆動回路によって形成された複数の電気信号を受けるとともに、ピクセル構造のマトリクスの複数のコンタクトと１対１の通信を行なう複数の電気コンタクトと、
前記回路基板の上面の複数の電気コンタクトをピクセル構造のマトリクスの複数のコンタクトに接続するための手段と、
複数の接続部を有し、各接続部が画像タイルの異なる１つにそれぞれ操作電力を供給する背面パネルと、
を備えているタイル張りディスプレイ構造。
【請求項８】
複数の画像タイルから成るタイル張りディスプレイ構造において、各タイルは、
上面と底面とを有する回路基板と、
ガラス基板と複数のピクセル構造とを有し、各ピクセル構造はピクセル領域を形成するとともにピクセル領域の一部を占める活性領域を有し、複数のピクセル構造は、横列と縦列とを有するマトリクス状に配置され、電気信号を受けるための複数のコンタクトを有する、ディスプレイ部分と、
前記回路基板の底面に接続され、メモリに記憶された画像データに応じて、ピクセル構造の電気コンタクトのそれぞれに複数の電気信号を供給して、複数のピクセル構造を選択的に作動させるピクセル駆動回路と、
暗色ラインの複数の横列及び縦列を有し、複数のラインは、その幅が略等しく、タイル張りディスプレイ装置のピクセル位置のためにフロントパネル上に透明領域を形成する、透明なフロントパネルと、
複数のタイルのディスプレイ部分のガラス基板を透明なフロントパネルに固定して、各タイル上の各ピクセル領域の活性領域をフロントパネル上に形成された透明領域の異なる１つにそれぞれ位置合わせするための手段と、
を備えているタイル張りディスプレイ構造。
【請求項９】
それぞれが上面と底面とを有する複数の回路基板と、
複数のピクセル構造を有し、各ピクセル構造がピクセル領域を形成し、複数のピクセル構造は、横列と縦列とを有するマトリクス状に配置され、電気信号を受けるための複数のコンタクトを有する、１つのディスプレイ部分と、
各回路基板の底面に接続され、前記ディスプレイ部分の電気コンタクトのそれぞれに複数の電気信号を供給して、前記ディスプレイ部分の複数のピクセル構造を選択的に作動させる複数のピクセル駆動回路と、
を備えているディスプレイ構造。
【請求項１０】
複数の画像タイルから成るタイル張りディスプレイ構造において、各タイルは、
複数の別個の蛍光体領域と、
前記蛍光体領域に向けて方向付けられる電子ビームを放射して蛍光体領域を照明する１つの陰極と、
複数の前記蛍光体領域のうちの選択された領域に向けて電子ビームを選択的に方向付ける少なくとも１つの静電偏向グリッドと、
を備えているタイル張りディスプレイ構造。
【請求項１１】
所定の時間にわたって輝度を変化させる複数の表示素子を有するディスプレイ装置のための輝度補償システムにおいて、
各表示素子が所定の輝度レベルに近い輝度レベルを形成するように、複数の表示素子に加えられるそれぞれの信号を示す複数のデータ値を保持する第１のメモリと、
所定の時間にわたって各表示素子に加えられる電流の測定値を累積するとともに、累積された電流値を第２のメモリに記憶する回路と、
前記第１及び第２のメモリ内の各値に応じて、各表示素子のために第１のメモリに保持されたデータ値を周期的に変化させる補償回路と、
を備えている輝度補償システム。
【請求項１２】
複数の画像タイルから成るタイル張りディスプレイ構造において、各タイルは、
複数の陰極発光ディスプレイ装置を有し、複数の陰極発光ディスプレイ装置のそれぞれは、
２次元マトリクスに配列された複数の別個の蛍光体領域を備え、
前記２次元マトリクスのうちの１つの次元内の蛍光体領域の数と等しい複数の要素を有する陰極の１つの横列を備え、各陰極は、蛍光体領域を照明するために蛍光体領域に方向付けられる各電子ビームを放射し、
前記２次元マトリクスの他の次元内の電子ビームを選択的に走査して、複数の蛍光体領域のうちの選択された領域を照明するために使用される少なくとも１つの静電偏向グリッドを備えているタイル張りディスプレイ構造。
【請求項１３】
サブ配列の多重化が所定の最大値に制限されるように複数の非活性マトリクスサブ配列を備えた活性マトリクス配列。
【発明の詳細な説明】
【技術分野】
【０００１】
この出願は、１９９８年２月１７日に出願された米国仮出願番号６０／０７４，９２２に基づく優先権を主張する。
【０００２】
本発明は、電子ディスプレイ装置に係わり、特に、タイル張りディスプレイ装置の配列として形成される広い面積のディスプレイ装置に関する。
【背景技術】
【０００３】
広い面積のフラットなディスプレイに関しては、未だ解決されていない要求がある。明確な解決策は市場において明らかとなってはいない。情報の発達に伴って表示されるデータ量も増大するため、この未解決の要求はその重要性が高まってきている。情報が支配するこの時代にあっては、広い面積のディスプレイに関する解決策は、センサ、コンピュータ、データベース、カメラ等からの情報を伝達するためのヒューマン・インターフェイスとして役立つ必要がある。多くの重要な用途で広い面積のディスプレイが要求されている。すなわち、
ホーム・シアターの用途
複数の観察者を必要とする用途
使用者が１つの領域内で動き回る必要がある用途
現実世界のシミュレーションがトレーニングのために必要であるような用途
各用途での条件は、寸法、形状、画素（ピクセル）の総数、輝度の点に関して異なっている。多くの用途に共通な条件は、比較的多くの数のピクセル、色、耐久性、携帯性（厚さ及び重量が最小）、信頼性、低電力、手頃な価格を含んでいる。現在の技術では、これらの要求を満たすディスプレイの良好な解決策はない。
【０００４】
スケール則を課し且つ製造可能なディスプレイのサイズを制限する基本的な技術問題がある。広い面積のディスプレイの条件を満たす技術的解決策が達成されない１つの理由が、これらの基本的な制限である。
【０００５】
ディスプレイ装置の複雑さを示す１つの尺度は、ピクセルの総数である。ディスプレイ技術の進歩によって、より新しく且つより複雑なピクセルフォーマットが可能になった−ＶＧＡ，ＳＶＧＡ，ＸＧＡ，ＳＸＧＡ。一般に、複雑さが増すと、追加のコストがかかる。この経験的な複雑性原理の根本的な理由は、ランダムな材料やパーティクル不良によって引き起こされる歩留りの損失である。これらの欠点により、ディスプレイ内のピクセルの数が増大するにつれて製造の歩留りが低下する。
【０００６】
ディスプレイのサイズの尺度はその面積である。サイズの増大とともにコストも増大する。ＬＣＤ、ＰＤＰ、ＥＬ等の各技術では、それ自身、最大寸法が制限される。この経験的な関係の根本的な技術的理由は製造公差である。サイズが大きくなるにつれて、熱膨張、湿度、残留応力、物理的な撓みの影響がより重大となってくるため、ディスプレイを製造する場合には厳格な公差を維持することが望ましい。
【０００７】
より小さな複数のタイルによって面積の広い１つのディスプレイを構成することが望ましい解決策として認められてきている。タイル張りは、サイズや形状に大きな自由度を与える方法である。タイル張りは、モノリシックディスプレイ技術のサイズを制限する多くの問題に晒されない。タイル張りディスプレイにおける製品の基本的な単位は、大きなモノリシックマルチピクセルディスプレイよりも複雑ではない。製品の基本単位は比較的小さいため、サイズの規定は制限的な要因ではない。このような根本的に異なるスケーリングのふるまいは、タイル技術の１つの利点であり、製造コストの低減に繋がる。
【０００８】
実用的なタイル張りディスプレイはまだ開発されていない（従来のＣＲＴディスプレイに沿って形成されるビデオ壁は、隣合うディスプレイ同士の隙間が大きいことから、タイル張りとみなされない）。不足しているもの（見逃されてきたこと）は、ピクセルを最縁部（実際には、１／２ピクセル間隔の縁部をもって）に持っていくことができ、同時に、エレクトロニクスが各タイルや他の複数のタイルによって完全に取り囲まれるタイルにもアクセスすることができるように、ディスプレイを構成できる組立技術である。タイル張り方法を実施する場合の２つの障害は、１）タイル間の継ぎ目の視認性をなくすこと、２）ピクセルに対する電気的なアクセスを確保することである。
【０００９】
タイル張りディスプレイの１つのタイプは、タイル張りディスプレイの教示内容として参照することにより本願に組み込まれるOnyskevych et al.によるTESSELLATED ELECTROLUMINESCENT DISPLAY HAVING A MULTILAYER CERAMIC SUBSTRATEと題されたＵＳＰ５，６４４，３２７に開示されている。この特許は、電子発光ディスプレイと、広い面積のディスプレイ装置を形成するために一括して接合される複数のタイルとして形成される電子発光ディスプレイと電界放出ディスプレイとの組み合わせを開示している。好適なタイルは、低温共熱処理セラミックとメタルコアにラミネートされた多層セラミック回路基板材料から成るメタル構造とを使用して形成される。
【００１０】
ディスプレイのための駆動回路は前記構造の背面に実装され、ディスプレイ装置の前面にピクセル電極との接続部を形成するために、バイアは背面から前面へと前記構造を貫通している。これらの接続部を形成するバイアは、ディスプレイ上のピクセル位置間を通っている。また、接続部は、ピクセルの１つ１つに形成され、或いは、ピクセルの小グループのために形成されている。したがって、前記特許に係るディスプレイ装置は、比較的多数のバイアを必要とする。前述したタイルは、複数のタイルが互いに接続されるその縁部に接続部を有している。
【発明の概要】
【発明が解決しようとする課題】
【００１１】
実用的なタイル張りディスプレイはまだ開発されていない（従来のＣＲＴディスプレイに沿って形成されるビデオ壁は、隣合うディスプレイ同士の隙間が大きいことから、タイル張りとみなされない）。不足しているもの（見逃されてきたこと）は、ピクセルを最縁部（実際には、１／２ピクセル間隔の縁部をもって）に持っていくことができ、同時に、エレクトロニクスが各タイルや他の複数のタイルによって完全に取り囲まれるタイルにもアクセスすることができるように、ディスプレイを構成できる組立技術である。タイル張り方法を実施する場合の２つの障害は、１）タイル間の継ぎ目の視認性をなくすこと、２）ピクセルに対する電気的なアクセスを確保することである。
【課題を解決するための手段】
【００１２】
本発明は、改良されたタイル張りディスプレイ構造によって具体化される。本発明の一形態において、ピクセルの活性領域と干渉することなくピクセル領域内に電気的バイアが形成されるように、各タイル上の画素（ピクセル）構造は比較的小さな活性領域を有している。
【００１３】
本発明の他の形態において、接続ビアがタイルの少なくとも１つの縁部に沿ってピクセルを貫通して形成されるように、各ピクセルの活性領域は、ピクセル領域の中心から水平方向及び垂直方向の少なくともいずれかの方向にオフセットされている。
【００１４】
本発明の更なる他の形態において、各ピクセルの活性領域はピクセル領域の中心に位置されている。
【００１５】
本発明の他の形態において、各タイルはディスプレイ部分とエレクトロニクス部分とを有しており、接続バイアは、ディスプレイ部分の背面側にある接続パッドに接続され、接続パッドは、エレクトロニクス部分の前面側の対応する接続パッドと接続するように配置されている。
【００１６】
本発明の更なる他の形態において、各接続パッドは、複数の異なる位置でそれぞれ、１つの横列電極もしくは１つの縦列電極に電気的に接続されている。
【００１７】
本発明の他の形態において、各タイルは、画像データとタイミング情報とを受け且つ受けたディスプレイのための画像データを記憶する回路を有している。
【００１８】
本発明の他の形態において、この回路は、１つのタイル内及びディスプレイの複数のタイル間の輝度色度の不均一性を補償する。
【００１９】
本発明の他の形態において、各タイルは、輝度及び色度の不均一性を補償する値を周期的に調整して所定の時間にわたってタイルの操作特性の変化を補償する回路を有している。
【００２０】
本発明の他の形態において、タイルは、ブロック・ワイズ・パッシブ・アドレス技術を使用している。
【００２１】
本発明の他の形態において、タイル上のピクセルは、有機発光ダイオード（ＯＬＥＤ）である。
【００２２】
本発明の他の形態において、タイルは、操作電力及びデータをタイルに供給するとともに広い面積のディスプレイを形成するために複数のタイルを所定の位置に保持する背面パネル構造に対して強固に接続されている。
【００２３】
本発明の更なる他の形態において、タイルは、操作電力及びデータを柔軟なコネクタを介してタイルに供給するバネ付きのフレーム内に物理的に配置される。
【００２４】
本発明の他の形態において、各タイルは、操作電力を受ける電気的接続部と、画像データを受ける光学的接続部とを有している。
【００２５】
本発明の他の形態において、広い面積のディスプレイを形成するために複数のタイルを保持するフレームは、透明なセルのマトリクスを形成する暗色ストリップを有する光学集積構造を備えており、タイルの各活性領域が光学集積構造の透明なセルのそれぞれと位置合わせされるように、各タイルが光学集積構造に装着されている。
【００２６】
本発明の更なる他の形態において、光学集積構造は、暗色ストリップの少なくとも一部と一致する複数の中方立てを有し、中方立てはそれぞれ、複数のタイルを光学集積構造に装着するために、光学集積構造上に各タイルが配置されるサブ領域を形成する。
【００２７】
本発明の他の形態において、各中方立てはＴ形状の断面を有しており、中方立ての上面は暗色ストリップと同じ色であり、中方立ての垂直なバーは透明である。
【００２８】
本発明の他の形態において、各中方立てはＴ形状の断面を有しており、中方立ての上面は暗色ストリップと同じ色であり、中方立ての垂直なバーは、タイルを形成する材料の複屈折率に近い屈折率を有する色をなしている。
【００２９】
本発明の他の形態において、タイルはそれぞれ、複数の異なる蛍光体をそれぞれ照明するように制御される１つの陰極を有する陰極発光装置である。
【図面の簡単な説明】
【００３０】
【図１】２つのタイルが取り除かれた広い面積のディスプレイ装置の正面図である。
【図１Ａ】図１に示す広い面積のディスプレイでの使用に適したタイルの背面側の斜視図である。
【図１Ｂ】図１に示す広い面積のディスプレイでの使用に適したタイルの前面側の斜視図である。
【図２】図１Ａ及び図１Ｂに示すタイルでの使用に適した画像処理及び駆動回路のブロック図である。
【図３】図１Ａ及び図１Ｂに示されたタイルを実施するために使用可能な構造を示す分解斜視図である。
【図４】図３に示すタイル構造の電気的な接続構造を示す分解斜視図である。
【図５】図１Ａ及び図１Ｂに示すタイルを実施するために使用可能な他の構造を示す分解斜視図である。
【図６】図５に示された構造を有するタイルの背面図である。
【図６Ａ】図５に示す構造を有する４つのタイルの部分の好適なピクセルレイアウトを示すピクセル図である。
【図７】図３に示す構造を有する４つのタイルの部分の好適なピクセルレイアウトを示すピクセル図である。
【図８Ａ】別個の複数のサブピクセルを有する１つのカラーピクセル構造の正面図である。
【図８Ｂ】別個の複数のサブピクセルを有する１つのカラーピクセルの他の構造の正面図である。
【図９】電気的接続部をタイルの横列及び縦列電極に形成する好適な方法を示す、図３に示す構造を有するタイルの正面図である。
【図１０Ａ】縦列電極のための好適なコンタクト構造を示す、図９のＦ１０Ａ線に沿うタイルの断面図である。
【図１０Ｂ】横列電極のための好適なコンタクト構造を示す、図９のＦ１０Ｂ線に沿うタイルの断面図である。
【図１１Ａ】図３に示す構造及び図８に示す配置構造を有するタイルとの使用に適した電気接続構造を示す背面図である。
【図１１Ｂ】図３に示す構造を有するタイルとの使用に適した電気接続と光学接続との組み合わせ構造を示す背面図である。
【図１２】タイル張りディスプレイとの使用に適した電力・信号供給構造を示す、図１に示すタイル張りディスプレイの背面図である。
【図１３】図１に示すタイル張りディスプレイとの使用に適した第１の実装方法を示す分解斜視図である。
【図１４】図１に示すタイル張りディスプレイとの使用に適した第２の実装方法を示す分解斜視図である。
【図１５】隣接するタイル同士を接合するための好適な方法を示す、図１に示すタイル張りディスプレイの一部の側断面図である。
【図１６】図１５に示す接合方法との使用に適した中方立ての斜視図である。
【図１７】タイルのための黒色マトリクスを形成する方法を説明するのに役立つ、図３又は図４に示された構造を有するタイルのピクセルのガラスプレートの側断面図である。
【図１８】図１６に示すような中方立てによってタイルがどのように接合されるのかを示す、２つの隣接するタイルのガラスプレートの一部の側断面図である。
【図１９】タイルのための黒色マトリクスを形成する方法を説明するのに役立つ、図３又は図４に示された構造を有するタイルの２つの隣接するピクセルのガラスプレートの側断面図である。
【図２０】本発明に係るタイル張りディスプレイでの使用に適した陰極発光タイルの側断面図である。
【図２１】図２０に示すタイルとの使用に適した第１の好適な陰極発光構造の概略図である。
【図２２】図２０に示すタイルとの使用に適した第２の好適な陰極発光構造の概略図である。
【図２３】図２０に示された陰極発光タイルの正面図である。
【図２４】第３の好適な陰極発光構造の概略図である。
【図２５】第４の好適な陰極発光構造の概略図である。
【図２６】図２４及び図２５に示された構造との使用に適した陰極発光タイルの斜視図である。
【図２７】任意の電磁偏向ユニットを示す、図２６に示すような陰極発光タイルの平面図である。
【図２８】図２７に示す陰極発光タイルとの使用に適した第１の偏向ヨークの断面図である。
【図２９】図２７に示す陰極発光タイルとの使用に適した第２の偏向ヨークの断面図である。
【図３０】図２４から図２９に示す陰極発光タイルの正面図である。
【発明を実施するための形態】
【００３１】
本発明を図面に示した好適な実施形態に関して説明する。図面は一定の比率で拡縮されてはいない（縮尺をもって描かれていない）。実際には、図面の寸法は、本発明の説明を補うために誇張されている。本発明は有機発光ダイオード（ＯＬＥＤ）に関して説明されているが、これは、電子発光、発光ダイオード（ＬＥＤ）、プラズマ技術のような他の放射ディスプレイ技術や、双安定反射コレステロール（ＢＲＣ）液晶技術とともに実施されても良い。
【００３２】
図１は、部分的に組み立てられた本発明に係る広い面積のディスプレイ１００の平面図である。ディスプレイ１００はタイル張りのディスプレイであり、多数のピクセル形成素子を有する広い面積のディスプレイを形成するために、ディスプレイ中では、画像ピクセルを形成する放射性素子もしくは反射素子が、比較的小さな配列でタイル１２０上に敷設されて、１つのフレームに組み立てられている。また、複数のタイルは、フレームなしで、それらのピクセルが縦方向及び横方向でアライメントされた状態で、側面同士が突き当てられるように組み立てられても良い。この場合においては個々のタイルは仕切りによって一緒に保持されていも良い。
【００３３】
タイルは、タイルの縁部に至るまで均等に離間された複数のピクセル形成素子によって構成されている。図１５から図１９を参照して後述するように、タイルは、それらが接合された際に、２つの隣合うタイルの縁部のピクセル同士のピクセル間距離がタイルの内側の隣接するピクセル同士のピクセル間距離と等しくなるように、形成される。図１に示すディスプレイでは、２つのタイル１２２，１２４が抜き取られている。これらのタイルが位置１０２，１０４に挿入されてディスプレイが完成する。
【００３４】
ディスプレイ１００は、４×４の配列で１６個のピクセル形成素子を有するタイルから形成されるように示されているが、各タイルがそれ以上のピクセルを有していても良い。本発明の好適な実施形態では、後述するように、各タイルは、３２×２８の行列で配列された８９６個のピクセル形成素子を有している。これらのタイルのサイズは単なる一例にすぎない。各タイルがそれ以上或いはそれ以下のピクセル形成素子を有していても良い。また、異なる数のピクセル形成素子を有する複数のタイルから１つのディスプレイを形成しても良い。例えば、１つのディスプレイは、比較的多数のピクセル形成素子をもつタイルを中心部近傍に有し、比較的少ない数のピクセル形成素子をもつタイルを縁部近傍に有している。
【００３５】
図１Ａ及び図１Ｂは好適なタイル１２０の背面及び前面を示す斜視図である。図１Ａに示すように、タイルは回路基板１３０を有しており、回路基板１３０上には少なくとも１つの集積回路１３４が実装されている。集積回路は回路基板１３０上の導電トレース１３２を介してピクセル形成素子に接続されており、導電トレースは、ディスプレイ装置の横列又は縦列の電極と接触するために回路基板１３０を貫通して延びるバイア（図示せず）に連結されている。図１Ａに示すタイルにおいて、バイアは、図９、図１０Ａ、図１０Ｂを参照して後述するように、ディスプレイ領域の内側にあるピクセル形成素子を貫通するように延びている。また、図５及び図６Ａを参照して後述するように、バイアは、ディスプレイの２つの縁部に沿ってピクセル形成素子を貫通して延びていても良い。
【００３６】
本発明の１つの好適な実施形態において、ピクセル形成素子は有機発光ダイオード（ＯＬＥＤ）材料によって形成されている。基本的な発光構造体は、適当に選択されてパターン化された一対の電極間で挟まれる薄い有機ポリマー層から成る。一方の電極から他方の電極へ電流が流れることによって、有機ポリマーから光が放射される。少なくとも１つの電極は、放射された光を透過することが望ましい。この目的のために使用される一般的な材料はインジウム酸化スズ（ＩＴＯ）である。ＯＬＥＤ材料は、輝度及び効率が高く、比較的安価な材料である。
【００３７】
本発明に係る好適なディスプレイ構造は、２つの部分、すなわち、ディスプレイ部分とエレクトロニクス部分とによって形成されている。これらの２つの部分は、個別に形成された後、完成されたタイルを形成するために接合される。ディスプレイ部分は透明なガラス層から成り、ガラス層上には透明な縦列電極が堆積される。これらの層上には、活性（すなわち発光）媒体としてＯＬＥＤ材料が堆積される。横列電極が最終的なディスプレイ層として堆積される。ディスプレイ層の機能もしくは寿命を向上させるために、遮断層もしくは非活性層のような別個の層を設けても良い。透明電極はホール注入電極であることが望ましく、他の電極は電子注入電極であることが望ましい。電極間のＯＬＥＤ材料は厚膜プロセスによって加えられる複合ポリマー材料であることが望ましいが、様々な薄膜堆積技術によって僅かな分子材料を選択的に加えることもできる。１又は複数の位置で横列及び縦列のそれぞれに電気的にアクセスするため、層がパターン化される。
【００３８】
ＯＬＥＤ材料に代わるものとして、タイルのピクセル形成素子は、電子発光素子、発光ダイオード、電界放射素子、プラズマ素子、陰極発光素子のような多くの放射性デバイスのうちのいずれであっても良い。
【００３９】
エレクトロニクス部分は、回路基板を貫通するようにバイアを打ち抜き加工もしくはドリル加工した後、回路基板上に導電トレースを印刷もしくは堆積させることによって形成される。また、導電トレースを形成するために使用される導電インクもしくはペーストがバイアに充填されても良い。タイルを形成するためにエレクトロニクス部分とディスプレイ部分とが接合される時には、ディスプレイ部分の横列電極及び縦列電極にバイアが接触される。
【００４０】
図示していないが、本発明の他の好適な実施形態は、反射ディスプレイもしくは低電力ディスプレイが必要となる用途に適したピクセル形成構造を有している。この新しい構造の基板及びエレクトロニクスは、後述するように、ＯＬＥＤの実施形態と実質的に同一である。しかしながら、この別個の実施形態におけるディスプレイ層は、反射性のディスプレイ材料である。例えば、双安定反射コレステロール（ＢＲＣ）液晶材料は、低電力の双安定ディスプレイを形成する。前述のタイル構造によれば、初めて、広い面積のＢＲＣディスプレイにおいて、ビデオ並みのディスプレイを実現できる。これらの材料は、平面反射状態と比較的透明な焦点円錐状態との間で切り換わる。黒色の裏層を使用すると、これらの２つの状態は彩色されたように見えるとともに黒色のように見える。ＢＲＣ材料は、広い面積のタイル張りディスプレイにおいて別個の利益を与える。すなわち、黒色の背面と組み合わせた反射状態と透明状態との間の操作は、様々な照明状態下で、鮮やかで高コントラストのディスプレイを可能にする。また、双安定性により、電力を与えないでも静止画像を維持することが可能になる。
【００４１】
１つの好適なタイル構造は、基板（基体）として役立つ多層セラミック回路基板１３２から成る。基板の観察側にはディスプレイ材料が配され、一方、基板の背面側の大部分に駆動もしくは他の機能のための電極（活性及び非活性）１３４が配される。エレクトロニクスとディスプレイ材料との間の相互接続を形成するため、導体要素１３２が個々の層に印刷され、バイアが異なる層の導体同士を相互に接続し、外部の電源及び信号源に接続するためにコネクタが背面上に設けられる。また、セラミック材料の処理時に歪みを生じることなく、また、ディスプレイの操作時に温度管理が不要となるように、タイル構造は高軟化点金属又は絶縁体のような構造層を有していても良い。また、ディスプレイ材料を保護もしくは収容するため、タイル構造は観察面に透明な層（例えばフロートガラス）を有している。個々のタイルを装着し且つ個々のタイル構造に必要な電力及び駆動信号への電気的な接続を果たすために、背面パネル構造を設けても良い。
【００４２】
多層セラミック回路基板１３０はセラミック材料の層から形成されていても良い。この層が最初に形成されて処理された後、バイア、導体、他の構成要素が形成され、その後、各層をこれと隣接する他の層に注意深くアライメントしながら、層が１つの積層体に組み立てられる。ここで、セラミック材料は、セラミック、ガラスセラミック、ガラス、他の高温絶縁材料を含むように、広い意味で使用される。コネクタ及びバイアを有するこのような多層構造は、活性・非活性の電気デバイス及び回路を配置することができる回路基板の基本的な機能を提供する。
【００４３】
導体１３２は、例えばメッキ、蒸着、スパッタリング、印刷、積層を含む標準的な任意の処理によって形成される厚膜導体もしくは薄膜導体であっても良い。その材料は金属であっても或いは有機導体であっても良い。導体は、例えば印刷又はフォトリソグラフィを含む処理によってパターン化される。これらの導体パターンは、前述した構造の個々の層の表面上に形成されるとともに、バイアに接続される。これにより、デバイスのデザインにしたがって、前述した構造上のエレクトロニクス及び構造の外側のエレクトロニクスをディスプレイ材料に相互接続するための手段が形成される。
【００４４】
層同士を接続するため、他の部類のコネクタが使用される。これらのコネクタはバイアと呼ばれる。バイアは、層の孔を貫通する導体や層の縁部を跨ぐように延びる導体を含む広い意味で使用される。層を貫通するバイアは、例えば層にホールを形成してこのホールを導体で満たすことによって形成することができる。また、予め形成された物理的導体を層内に埋設しても良い。層の縁部を乗り越えて延びるバイアは、配線（丸い、或いは、平ら）もしくは配線の列を物理的に配置し且つその端部同士を相互に接続される表面にワイヤボンディングすることによって形成することができる。また、バイアは、メッキもしくは厚膜導体や薄膜導体のための他の製造プロセスによって、所定位置に形成することができる。
【００４５】
また、この構造にコア層を設けても良い。一般に、このコア層は、セラミック材料よりも高い軟化点を有しており、セラミック材料の処理及び組立のための基板として役立つ。コア層は、水平方向の縮みをなくして、多層システムの膨張係数を一様にするとともに、多層組立体に機械的な耐久性を与えるように作用する。層が良好な導電体である場合には、層がＲＦシールドを形成しても良い。また、層が良好な伝熱体である場合には、層はディスプレイの熱管理に寄与する。しかしながら、導体層は、バイア接続に関し、特定の問題を与える。金属層を貫通するバイア接続は多くの方法で製造することができる。すなわち、ホールの周面を絶縁材料で満たした後に、その中央部を貫通するように金属導体を配することによって製造できる。或いは、導電性の金属コアから導体を分離する空間を残してその中央部を貫通するように導体のみを配することによって製造できる。
【００４６】
画像処理及びピクセル駆動回路を形成するエレクトロニクスは層上に実装される。エレクトロニクスは、活性及び非活性の両者、また、層上に実装される個々のデバイス及び様々な高温基板上のディスプレイのためのアクティブマトリクス回路を形成するために使用されるような方法によって所定の位置に形成されるデバイスの両方を含む広い意味で使用される。これらのエレクトロニクスを任意の位置に配置できる場合において、最も便利な位置は背面である。これにより、標準的な組立や取付部品及び処理を使用することができる。また、活性デバイスもしくは非活性デバイスを介在層或いは観察面上に配置することにより、システムデザインの自由度を高めることができる。
【００４７】
ディスプレイ材料は観察者に視認可能な表面に適用される。前述した構造の自由度に起因して、異なるディスプレイ材料を使用することができる。
【００４８】
タイル張りのディスプレイがタイル間に視認可能な継ぎ目を有さないように、タイルの縁部は慎重に形成することが望ましい。タイルの継ぎ目によって分離されるピクセル間の隙間がタイル上のピクセル同士の隙間と同一であることが、タイルに関する１つの基準である。この基準を満たすため、タイルの縁部はその寸法が正確であることが望ましい。また、縁部を導体のために使用できる場合、或いは、隣合うタイル同士を接合するために中方立てが使用される場合には、タイルのデザインや配置において、導体もしくは中方立ての厚さを占めていることが望ましい。
【００４９】
タイルの物理的装着及び相互接続を行なってディスプレイを形成するために、背面パネルを設けても良い。ディスプレイの全体にわたってピクセルの間隔が連続するようにようにタイルが装着される。タイルの最も一般的な形状は正方形もしくは矩形であるが、タイル張りを行なって広いディスプレイを形成できる形状であれば、どのような形状であっても良い。また、タイルは、一般に平らであるが、湾曲状もしくは半球状のディスプレイを形成するために一方もしくは両方の寸法に沿って湾曲していても良い。湾曲状もしくは半球状のディスプレイは、湾曲状もしくは半球状の背面パネルに平らなタイルを装着することによって形成することもできる。半田付けのような永久的な接続によって、或いは、タイルを背面パネルにプラグ接続させることができるコネクタを使用することによって、タイルが背面パネルに取り付けられても良い。この後者の方法によれば、タイルを個別に修理もしくは交換することができる。異なるタイプのタイルを背面パネルの異なる領域に取り付けても良い。例えば、高解像度領域が広いディスプレイの中心部もしくは他の領域に設けられる。また、異なるサイズもしくは異なる形状のタイルが１つのディスプレイ上で組み合わされても良い。例えば、広いパネルの縁部近傍のタイルは、パネルの中心部近傍のタイルよりも大きく且つピクセル密度が小さくても良い。また、タイル間に隙間を残し且つタイルの正確な配置を容易にするため、タイルは、背面パネル上におけるそれらのピッチに対して僅かに寸法が小さく設定されていても良い。
【００５０】
また、背面パネルは、タイルを操作するために必要な操作電源やデータ信号とタイルとを接続する手段を形成しても良い。このような接続を形成するため、タイルの背面側と背面パネルの両方にマッチングコネクタを設けても良い。データ信号接続の場合、物理的な接続に代わるものとして、光学的な接続を使用しても良い。
【００５１】
背面パネルの電気的な構造は、タイルに電力及び信号を供給するために設けられている。また、タイルの電気的な構造は、ディスプレイピクセルのアドレスのために設けられている。これらの両方の構造のレベルは説明される。ピクセルの数が増大してディスプレイの寸法が大きくなるにつれて、タイル張りディスプレイの必要な情報量も増大する。タイル上のピクセルの数が多くなると、タイル上に記憶されるデータ量が増大するとともに、情報伝達速度も速くなる。
【００５２】
タイル張りディスプレイの１つの利点は、走査エレクトロニクスをタイルの内側に設けることができ、また、任意の１つのタイルの走査速度が小さなディスプレイであっても大きなディスプレイであっても同一である点である。これによって、ディスプレイの輝度及びグレースケールがサイズの増大に伴って低下しない。後述するタイル張りディスプレイは、タイルの縁部であってもピクセル間隔の連続性を損なうことなく信号とピクセルとを接続する構造を有している。また、前述のタイル張りディスプレイは、放送情報信号からそのタイルのための信号情報を抽出し且つ抽出された情報をそのタイルをアドレスするために必要な信号に変換する信号処理回路を有していても良い。
【００５３】
一般に、フロントと背面との接続部は、ピクセルの各横列に対して１つずつ、また、ピクセルの各縦列に対して１つずつ、タイル上に設けられている。タイル張りディスプレイは、タイル毎の相互接続の数が比較的僅かで且つ各タイルの歩留りが高くなり得るように、比較的僅かなピクセルしか有していない。このことは、１つの基板から大きなディスプレイを製造する場合と比較して、タイル張りディスプレイの重要な利点である。一般に、歩留りはディスプレイ装置のピクセルの数に依存している。
【００５４】
横列もしくは縦列に対する最終的な接続部は、タイルの背面から延びるバイアによって形成される。このバイアはピクセルの間隔よりも小さい直径を有している。これを実現するため、ディスプレイ層内にあるバイアの部位は、他の介在層を貫通するバイアよりも小さく形成されても良い。そして、後述するように、この接続部は、より広い相互接続部間に最大の隙間を形成するために、タイルの領域にわたって千鳥状に設けられていても良い。これらの接続部は、ピクセルにディスプレイ信号を供給する最終的なリンクである。
【００５５】
図２は、本発明に係るディスプレイタイルとの使用に適した電気回路のブロック図である。分かりやすくするため、操作電力の接続（例えば、電源とグランド）は図２に示されていない。
【００５６】
図２に示すように、タイミング／シーケンス・ロジックから成るフィールド・プログラマブル・ゲートアレイ（ＦＰＧＡ）２１０は、タイミング／制御信号及びデータ信号を受ける。後述するように、これらの信号は、電気配線用ハーネスによってタイルに設けられても良く、また、光インターフェイス２２４（破線で示されている）を介してタイルに設けられても良い。タイミング／制御信号は、システムクロック信号と同期信号とディスプレイエレクトロニクスによって実行される機能を変化させる制御値とを有している。光インターフェイス２２４がタイミング／制御信号及びデータ信号を受けるために使用される場合には、タイミング／シーケンス・ロジック回路２１０はクロック信号ＣＬＯＣＫを光インターフェイス２２４に供給する。
【００５７】
図２に示す回路は、４つの機能、すなわち、個々のタイルのための補償データをロードして記憶する機能、タイルのためのディスプレイデータをロードして記憶する機能、記憶されたデータを表示する機能、個々のピクセルの輝度性能の変化を補償するように調整する機能、を有するものとしてみなされても良い。
【００５８】
本発明の好適な実施形態において、全てのタイルが均等色をもつ均等な輝度を有するピクセルを表示するように、各タイルが個別に補償されても良い。タイルを補償する好適な方法はＯＬＥＤディスプレイ材料に関して説明される。しかしながら、類似の方法が他のタイプの放射性光変調ディスプレイ材料とともに使用されても良い。
【００５９】
特定のＯＬＥＤピクセルによって放射された光のレベルは、そのピクセルに供給される電流のレベルに依存している。したがって、通常の操作中にピクセルに供給される電流の大きさを制御することによって、ディスプレイ中の各ピクセルの輝度が制御される。本発明の好適な実施形態においては、各ピクセルがＯＮ／ＯＦＦされる。ＯＮ状態でピクセルに加えられる電流のレベルを制御することによって、ピクセルがＯＮされた際にピクセルから放射される光量が制御される。本発明の好適な実施形態において、各ピクセルに加えられる電流のレベルは、そのピクセルによって放射される光量がディスプレイ装置内の他の全てのピクセルによって放射される光量と一致するように調整される。像がタイル上に表示される際、ピクセルの輝度を調整するために、ピクセルを駆動するパルスのパルス幅が変化される。
【００６０】
本発明の好適な実施形態は、ピクセルの１つの横列だけが常に照明されるブロック内で、受動的なアドレス技術を使用する。走査回路は、タイル上の各横列を通り、所定の間隔でその横列を照明する。各タイルが個別に走査されるため、全てのタイルが１つの横列を同時に照明しても良い。したがって、１つのタイルがその複数のピクセルをリフレッシュする度に、ディスプレイ装置全体もその複数のピクセルをリフレッシュする。ディスプレイ加工品を最小限に抑えるために、タイルによって使用される走査信号を同期させることが望ましい。例えば、横列上のタイル間の明らかな相違を最小限に抑えるために、横列上の全てのタイルに関して同一の走査タイミングを使用することが望ましい。また、同じ走査タイミングを持つようにディスプレイ上の全てのタイルを同期させることが望ましい。この場合、タイルの１つの横列の走査が完了した直後に、タイルの次の横列の走査を開始する。したがって、その走査線がディスプレイ装置の下方に一様に移動しているように見えるとともに、他の走査線もタイル張りディスプレイ装置の下方に移動している。この形態において、ディスプレイ装置は、装置内のアドレスブロックの横列の数と等しい数の走査線を有しているように見える。横列選択回路２２２は、例えば、アドレスブロック内の横列の数と等しい数のステージを有する従来のクロック・シフトレジスタである。シフトレジスタは、アドレスブロックの横列を通じて、１つのロジック・ハイの値を測定する。ロジック・ハイの値は各横列に加えられると、その横列内のピクセルが選択される。
【００６１】
図２に示すように、ディスプレイ装置上のピクセルのセルに加えられる電流は、不揮発性メモリ２１４内に記憶されたピクセルのセルに関する値に応じて制御される。タイル上のピクセルの各ラインがアドレスされると、ライン上のピクセルのアドレスがメモリ２１４に加えられ、プログラム制御可能な複数の電流源２１６に多数の補償値が供給される。供給された値の数は、ディスプレイ装置内の縦列の数と等しい。選択された横列内のピクセルに各電流値を供給するため、各値はプログラム制御可能な異なる電流源にそれぞれ加えられる。したがって、図２に示すように、プログラム制御可能な複数の電流源は複数の縦列ドライバ２２０に接続されている。縦列ドライバが使用可能であると、各ドライバは、プログラム制御可能な複数の電流源２１６のそれぞれによって決定される電流のレベルを形成する。
【００６２】
前述したように、ピクセルデータの表示は、ピクセルの選択された横列に供給される電流信号を変調するパルス幅によって制御される。本発明の好適な実施形態において、ランダム・アクセス・メモリ２１２は、例えばタイル上のピクセルの数と一致する多数のピクセル値を記憶する。タイルがデータのラインを表示すると、タイミング／シーケンス・ロジック２１０は、１つの横列を選択するとともに、選択された横列に対応するデータのラインを引き出して、選択されたデータをパルス幅変調装置（ＰＷＭ）２１８に加える。ＰＷＭ２１８は、その２進法の値を各パルス幅に変換し、縦列ドライバを制御して、プログラム制御可能な複数の電流源２１６によって供給される電流レベルをタイルの縦列電極に加える。１つの横列だけが選択されるため、これらの電流値は１つの横列上においてのみディスプレイ材料を通じて流れ、その横列から光が放射される。メモリ２１２は、タイル上のピクセルの数を操作するために必要なデータよりも少ないデータ或いは多いデータを保持しても良い。メモリが少ないデータを保持する場合、予め記憶されたデータが表示される一方で、新しいデータがタイル内に記憶される必要がある。メモリ２１２がより多くのデータを保持する場合、図２に示す回路は、１つの画像フレームからのピクセルの１つの横列のための画像データを表示し、その一方で、次の画像フレームからの１つの横列のデータがメモリ２１２内にロードされる。一般に、図２に示す電子回路によって実行される様々な機能、すなわち、補償データをロードし、ピクセルデータをロードし、ピクセルデータを表示する機能は、同時に実行されても良い。
【００６３】
タイミング／シーケンス・ロジック２１０は、タイミング／制御信号を受け、どの機能が実行されるのかを決定するために制御信号をデコードする。製造プロセス中において、例えば、各ピクセル位置に対応した光電セルを有する試験装置上に完成されたタイルを装着することによって、各タイルが名目上の輝度値に校正されても良い。各ピクセルは個々にＯＮされ、その輝度が名目上の輝度と比較され、ピクセルのための制御値がそのピクセルのためのプログラム制御可能な電流源２１６に加えられる。名目上の輝度レベルに達すると、電流源２１６に加えられた値が不揮発性メモリ２１４内に記憶される。
【００６４】
また、タイルは、ピクセルの輝度を自動的に調整してディスプレイ材料の劣化を補償する回路を有していても良い。この回路によって、例えば、観察者は、所定の輝度値を表示することができ、また、隣合うタイル同士の輝度が一致するように、個々のタイルを選択するとともに輝度値を上下に調整して選択されたタイルの輝度を一致させることができる。また、タイルは、１又は複数のピクセル位置にわたって、小さな１つの光センサを有していても良い。この光センサは、タイルのピクセルの輝度を連続的に監視して、そのピクセルに加えられる電流レベル及びディスプレイ上の他のピクセルの全てに加えられる電流レベルを調整して、ディスプレイの劣化に起因するピクセル輝度の変化を補償する。光センサの視認性を最小限に抑えるために、光センサは、散乱光に反応するように、活性ピクセル領域から離れるように配置されても良い。
【００６５】
また、回路１３４は、個々のピクセルの輝度を連続的に調整して劣化を補償する全ての電子補償システムを有していても良い。特定のピクセルに関する電流及び時間を測定してこれらの電流と時間との積を積分することによって、劣化によって生じるＯＬＥＤピクセルの輝度の減衰を予測できることを本発明者は確認した。この積は、特性曲線とぴったり一致するとともに、駆動電流を調整してピクセルの本来の輝度レベルに戻す新たな駆動電流を予測するために使用できる。更なる向上点として、異なるピクセルは劣化速度も僅かに異なり、初期の劣化勾配は、焼付き時に測定することができるとともに、駆動時の任意の変化を演算するアルゴリズムにおける二次補正率（補正因子）として使用することができることが判明している。このような調整の正確な形態は、ピクセル及びピクセルを形成するために使用される材料の幾何学的な構成に依存している。適切な調整は、好適なピクセルの性能を所定の時間にわたって監視すれば、ＯＬＥＤディスプレイの設計を行なう当業者により容易に決定され得る。
【００６６】
劣化に起因する輝度の損失を補償する他の方法は、ピクセルに加えられる電圧を監視することである。例えば、時間Ｔ０で、ピクセルの輝度レベルが最初に調整されると、電圧Ｖ０、電流Ｉ０で、輝度がＢ０になる。所定時間経過後の時間Ｔ２で、２つの変化が生じる。すなわち、同じ一定の電流Ｉ０を形成するために電圧Ｖ２が必要となり、また、このＩ０での輝度がＢ２（Ｂ２＜Ｂ０）となる。発明者は、電圧の変化ｄＶ＝（Ｖ２−Ｖ０）が輝度の変化ｄＢ＝（Ｂ２−Ｂ０）に比例することを確認した。この比例定数を知れば、本来のＢ０を形成する新たな電流Ｉ２を電子的に演算することが可能になる。このアルゴリズムは、電子ドライブブロックのエレクトロニクス内に組み込むことが可能であり、これにより、手動調整を行なうことなく輝度を一定の輝度に自動的に維持することができる。ピクセルの幾何学的な構成やＯＬＥＤ材料が異なれば、この比例定数も変わる。比例定数は、好適なピクセルの性能を所定の時間にわたって監視すれば、ＯＬＥＤディスプレイの設計を行なう当業者により容易に決定され得る。
【００６７】
また、輝度の均一性を回復させる外部システムを使用しても良い。そのようなシステムは、例えば、個々のピクセルの輝度を検出及び測定するセンサと、ディスプレイのエレクトロニクスと通信を行なう幾つかの手段とを組み込んでおり、これによって、所望の輝度を得るために必要な正確な駆動電圧をディスプレイのタイルのメモリに記憶させることができる。
【００６８】
特別な例について述べてきたが、所定の輝度レベルを維持するためにピクセルに加えられる電流を調整するこれらの方法のいずれも、任意の他の方法と組み合わせることができる。このような組み合わせは、チェックのため、或いは、前記他の方法の性能を増大させるために行なわれる。
【００６９】
好適なディスプレイ装置は、ピクセルを制御してグレースケールを達成するために使用される方法（すなわち、パルス幅変調）と直交する方法（すなわち、電流制御）を使用してピクセルの輝度を校正する。これは有益である。なぜなら、ディスプレイのダイナミックレンジの全体にわたって一貫した輝度レベルを表示するために個々のピクセルを校正することができるからである。輝度の補償と画像情報との間の相互作用を最小限に抑えることにより、システムを単純化でき、精度を向上させることができる。
【００７０】
図３は第１の好適なディスプレイ構造を示す分解斜視図である。このタイル構造は、２つの部分、すなわちディスプレイ部分とエレクトロニクス部分とから形成されている。
【００７１】
ディスプレイ部分は、例えばフロートガラスプレートから成る透明なフロントプレート３２０を有している。透明な縦列電極３２２は、良く知られたプロセスを使用してインジウム酸化スズのような透明な導体の薄い帯を形成することによって、フロントプレート３２０上に形成される。これは、例えば、フロートガラスプレートの全面にわたってＩＴＯの膜を堆積させるとともに電極を形成するためにＩＴＯを選択的にエッチングすることによって行なわれる。ピクセルの活性領域を形成するために、ホール・トランスポート層、発光層、電子注入層を含むディスプレイ材料、赤、緑、青のＯＬＥＤ材料３２４，３２６が縦列電極の上面に堆積される。ホール・トランスポート層は縦列電極に電気的に接続され、発光層はホール・トランスポート層に電気的に接続される。例えば金属カルシウムから形成される電子注入層は発光層の上面に形成される。電子注入層の上面には横列電極３２８が形成される。図６Ａ及び図７を参照して後述するように、ディスプレイ材料３２４，３２６はピクセル領域の一部だけ（例えば約２５％）を占めていることが望ましい。横列電極３２８は、標準的な堆積技術を使用して、例えばポリシリコンもしくはアルミニウムのような金属から形成されていても良い。横列電極３２８の上面には絶縁層３３０が形成される。好適な絶縁層３３０は数ある絶縁材料のうちの任意の絶縁材料によって形成される。ディスプレイ材料を保護するため、絶縁層３３０は低温プロセスを使用して形成されることが望ましい。好適な材料はポリアミドもしくは他の低温無機材料を含んでいる。絶縁層３３０は厚膜堆積技術もしくは薄膜堆積技術を使用して設けられても良い。絶縁層３３０は、横列電極３２８又は縦列電極３２２と位置合わせされる複数の孔３３１を有している。
【００７２】
絶縁層３３０の上面には複数の接続プレート３３２が堆積される。これらのプレート３３２は、例えばアルミニウムを堆積したり、溶媒中に混入された銀のような金属インクもしくはペーストを厚膜プロセスを使用して堆積させることによって形成されても良い。図９から図１０Ｂを参照しながら後述するように、接続プレートは、絶縁材料の孔を貫通して延びるバイアによって、縦列電極３２２及び横列電極３２８に接続される。好適な各接続プレートはそれぞれ１つの横列電極３２８とだけ或いは１つの縦列電極３２２とだけ電気的に接触される。しかしながら、良好な接続を確保するため、各接続プレート３３２は、複数の個所で、対応する横列電極３２８もしくは縦列電極３２２に接続されていても良い。
【００７３】
エレクトロニクス部分３１２は、画像処理及びディスプレイ駆動回路１３４（図３に示されていない）と、例えばアルミナ（Ａｌ2Ｏ3）の薄いシートから成る回路基板１３０と、堆積された導電体１３２と、接続パッド３３４及び導電体１３２を回路基板１３０を通じて接続パッド３３４に電気的に接続するバイア３３８とを有している。導電体１３２とバイア３３８と接続パッド３３４は全て、金属インクもしくはペーストを加えるために、厚膜堆積プロセスを使用して形成される。また、接続パッド３３４はアルミニウムを蒸着することによって形成されても良い。エレクトロニクス部分の接続パッド３３４とディスプレイ部分の接続プレート３２２との間には１対１の関係がある。本発明の好適な実施形態においては、接続パッド３３４と接続プレート３３２は、ディスプレイ部分とエレクトロニクス部分との間に導電接着剤を異方性をもって加えることにより、電気的に接続される。組み合わされたディスプレイ部分とエレクトロニクス部分は１枚のタイル１２０を形成する。
【００７４】
しかしながら、接続パッドをこれと対応する接続プレートに電気的に接続するために他の方法を使用しても良いことは言うまでもない。例えば、接続プレート３２２及び接続パッド３３４は、パッドもしくはプレートの面を超えて上方へ延びる部分を有するように、変形可能な材料によって形成されてパターン化されても良い。エレクトロニクス部分とディスプレイ部分とが組み合わされると、接続プレート３２２及び接続パッド３３４上でパターン化された材料が接触して変形するようになり、これにより、対応する接続パッドと接続プレートとの間で電気的な接続が形成される。また、パッド３３４及びプレート３２２は、バンプボンディング技術によって或いは配線を使用して接続されても良い。この場合、前記配線は、パッド３３４もしくはプレート３２２のいずれか一方に埋め込まれ、エレクトロニクス部分３１２が対応するディスプレイ部分３１０と組み合わされた時にパッド３３４もしくはプレート３２２と係合する。
【００７５】
図４はエレクトロニクス部分３１２の一部を示す分解斜視図である。この図は、エレクトロニクス部分の電気的な接続構造をより明確に示している。回路基板１３０は複数の孔４１０を有しており、各孔４１０は各接続パッド３３４に対応している。接続パッド３３４が回路基板１３０の前面４１２に形成されると同時に、バイア３３８が孔４１０内に形成される。画像処理及びディスプレイ駆動回路１３４（図４に示されていない）を様々な接続パッドに接続するために、導電体１３２が回路基板１３０の背面４１４上に形成される。
【００７６】
図５は、好適なタイル１２０の他の構造を示す分解斜視図である。図５に示すタイルは、別個のエレクトロニクス部分とディスプレイ部分として形成されても良く、また、単一の構造体として形成されても良い。また、タイルの横列電極及び縦列電極に対する接続は、タイルの２つの縁部に沿って形成される。
【００７７】
図５に示すタイルの回路基板はボトム層５１０である。この回路基板は、例えば、図１Ａに示す回路１３４のようなエレクトロニクスモジュールを有していても良い。エレクトロニクスモジュールは、縦列バイア５２０及び横列バイア５２２を介して、ディスプレイ装置の横列電極及び縦列電極に接続されている。１つの横列バイア５２２だけが図５に示されている。図５に示す好適なタイルにおいて、回路基板は平面５１０であり、破線で示された任意の平面５１２，５１４，５１６は相互接続層である。これらは、上側の層に接続するためのバイアとその層の一表面上に塗布もしくは印刷される導電トレースとを有するセラミック層である。タイル構造がＬＴＣＣＭ材料から形成される場合には、層５１２，５１４のうちのいずれか一方は金属もしくは絶縁性の構造基板であっても良い。層５１
６は縦列バイア５２０及び横列バイア５２２を有するセラミック層である。セラミック層５１６上に形成される横列バイアは、好適なディスプレイタイルの横列電極５２４に接続する。
【００７８】
図５に示すタイルが別個のエレクトロニクス部分及びディスプレイ部分とから形成される場合には、エレクトロニクス部分は、層５１０及び任意の層５１２，５１４，５１６だけを有する。タイルが単一の部品として形成される場合には、ディスプレイ材料５２６は複数の横列電極５２４の上面に堆積される。図５において、ディスプレイ材料５２６は固体のシートとして図示されている。しかしながら、この材料は、横列電極上に堆積される個々の電子注入層及び個々のＯＬＥＤセルであっても良い。図３を参照して前述したように、横列電極はアルミニウムのような金属もしくはポリシリコンから形成されても良い。
【００７９】
ディスプレイ材料５２６上には複数の縦列電極５２８が形成される。縦列電極は、平面５１０からディスプレイタイルの各平面を通じて平面５２６を貫通して延びるバイア５２０を介して回路基板に接続されている。各縦列電極はそれぞれ異なるバイア５２０に接続される。図３に示すタイル構造と同様に、縦列電極５２８は、一般に、インジウム酸化スズ（ＩＴＯ）のような透明な導体材料によって形成されている。本発明の好適な実施形態において、縦列電極５２８上に形成される平面５３０は光学フィルタもしくはパターン化された黒色のマトリクスであっても良い。黒色のマトリクスは、ディスプレイ層５２６の非活性領域を黒色のラインで覆うとともに、その一方で、ディスプレイ材料の活性要素のための開口を形成する。図５に示すディスプレイタイルの最終層はフロートガラスフロントカバー５３２である。
【００８０】
図５に示すタイルが別個のエレクトロニクス部分及びディスプレイ部分とから形成される場合には、ディスプレイ部分は図３を参照して前述したように形成されていても良い。まず、フィルタ又は黒色のマトリクス層５３０がフロートガラスカバー５３２上に堆積される。次に、透明な縦列電極５２８が堆積され、その後に、ＯＬＥＤ材料が縦列電極上に形成されて、横列電極５２２がＯＬＥＤ材料を覆うように形成される。図５に示す好適な別個のエレクトロニクス部分及びディスプレイ部分は、横列及び縦列バイアをそれらの縁部に沿ってバンプボンディングすることによって、或いは、エレクトロニクス部分又はディスプレイ部分の一方で配線のような導電要素を横列及び縦列バイア内に挿入して導電要素をバイアから突出させることによって接合されても良い。その後、エレクトロニクス部分とディスプレイ部分とが接合される際に、導電要素は、エレクトロニクス部分又はディスプレイ部分の他方で対応するバイアと繋がれる。
【００８１】
図５に示すタイル構造は、まず、層５１０，５１２，５１４，５１６のための緑色の複数のテープブランクを準備することによって形成されても良い。次に、これらのブランクが穿孔され、孔を通じてバイア５２０，５２２が形成される。ブランクが穿孔されたら、ブランクに適当な導電材料が塗布もしくは印刷され、これにより、導電材料がバイア内に充填されるとともに、ディスプレイタイル内の他の回路を相互接続するために必要な導電トレースが形成される。緑色のテープシート上に印刷されたトレースは横列電極５２４を有している。層５１０，５１２，５１４，５１６とバイア５２０，５２２と横列電極５２４とを有するこのような構造は、その後、ラミネートされ、ディスプレイ装置の回路部品に適したセラミックを形成するために熱処理(fired)される。次に、ディスプレイ材料５２６が横列電極５２４上に堆積される。ディスプレイ材料が堆積された後、ＩＴＯを堆積させるための従来のプロセスを使用して縦列電極がタイル上に形成される。
【００８２】
別個の工程において、黒色マトリクス又はフィルタ５３０がフロートガラスカバー５３２上に形成されても良い。組み合わされたマスク又はカバーは、その後、マスク内の開口がディスプレイ材料の活性ピクセル領域と一致するように、ディスプレイ装置と位置合わせされる。その後、ガラスカバー５３２は、例えばフリットガラスを使用して、熱処理された複合セラミック構造にシールされる。
【００８３】
図６は、図５に示されたディスプレイタイルの底面図である。図６に示すように、回路基板５１０は、バイア５２０，５２２をそれぞれ介してディスプレイの横列及び縦列に接続された電子回路１３４’を有している。本発明の好適な実施形態において、回路１３４’をバイア５２０，５２２に接続する導体６０２は、前述したように、熱処理前に緑色のテープ上に印刷もしくは塗布される。導体６０２は回路１３４’の縁部に沿ってバイア５２０，５２２に接続される。導体６１０を介して操作電力を受けるために、また、導体６１２及びコネクタ６１４を介してデータ信号／タイミング情報を受けるために、回路１３４’が接続される。図１２を参照して後述するように、タイル１２０’が図１に示す装置１００のようなタイル張りのディスプレイ装置に組み付けられる際に、コネクタ６１４がケーブルハーネスに接続されても良い。
【００８４】
図６Ａは、図５に示すタイルに使用可能な好適なピクセル間隔を示すピクセル図である。このようなピクセル間隔によれば、組み立てられたタイル張りディスプレイのピクセル間距離を局部的に歪ませることなく、タイルの縁部に沿って導電性のバイアを配置することができる。図６Ａは４つのタイル６３０，６４０，６５０，６６０の部分を示している。破線６２４，６２２はピクセルの境界を示している。これらの線は、ピクセルのレイアウトを理解し易くするためにのみ設けられている。ピクセルの活性部５２６は全ピクセル面積の約１／４だけを占めている。これは約２５％のピクセル開口を形成している。本発明のこの好適な実施形態において、活性領域は、ピクセル領域の中心に位置付けられておらず、図６Ａに示すように左上側にオフセットされている。
【００８５】
図６Ａに示すように、ピクセルのこのような間隔は、タイルの境界を横切るピクセルの規則的な間隔と干渉することなく、バイア５２０，５２２をピクセルの横列及び縦列電極に接続するための空間を、ディスプレイ装置の縁部に沿って形成する。図６Ａに示す好適な実施形態において、活性領域５２６からタイルの縁部までの距離ｄeは、ピクセルの活性領域５２６の縁部からピクセルの境界５２２又は境界５２４までの内側距離ｄIの約２倍である。
【００８６】
図６Ａに示すピクセル図はピクセルの活性領域が水平方向及び垂直方向の両方向にオフセットされているが、活性領域が垂直方向にのみオフセットされていても良い。この構成では、横列電極に対するコンタクトが活性ピクセル材料の下方にあり、したがって、ピクセルの活性領域をオフセットする必要がない。
【００８７】
図７は、図３に示すようなタイルの使用に適した他のピクセルのレイアウトを示している。図７に示すレイアウトにおいて、ピクセルの活性領域５２６はそれらの各ピクセル領域の中心に位置付けられており、ディスプレイの横列及び縦列電極をエレクトロニクスに接続するバイアは各ピクセル素子間に形成されている。活性領域５２６の縁部とディスプレイの縁部７１２との間の距離はタイルの全ての側で等しく、活性ピクセル領域の中心から縁部までの距離はピクセルのピッチの１／２である。しかしながら、図２０及び図２０Ａを参照して後述するように、中方立て(mullion)を隣接するタイル間に挿入できるように、縁部のピクセルの中心とタイルの縁部との間の距離はピクセルのピッチの１／２よりも僅かに小さくなっている。後述するように、一般に、中方立ては、ディスプレイ装置上にタイルを接合するため及びタイルの継ぎ目を隠すために使用される。
【００８８】
一般に、前述したディスプレイは白黒のディスプレイである。ピクセルは、１つの横列電極と１つの縦列電極とから成る１対の電極によって制御される単一の放射領域を有している。図８Ａ及び図８Ｂに示すように、カラーピクセルが採用されても良い。図８Ａは、赤（Ｒ）８２０、緑（Ｇ）８２２、青（Ｂ）８２４の別個のサブピクセルを有する単一のピクセルを示している。３つのサブピクセル８２０，８２２，８２４はそれぞれ対応する縦列電極（図示せず）を有している。サブピクセル８２０，８２２，８２４の縦列電極はそれぞれ、バイア８１０，８１２，８１４をそれぞれ介して、エレクトロニクス部分に接続される。１つの横列電極（図示せず）は３つのサブピクセルで共有される。この横列電極は、仮想的に示されたバイア８１６を介してエレクトロニクス部分に接続されている。
３つのサブピクセル構造の幾何学的な構成は、サブピクセルの高さｄSHと、サブピクセルの幅ｄSWと、活性サブピクセル領域からピクセル領域の縁部までの距離ｄeとによって規定される。本発明の１つの好適な実施形態のため、ピクセルのピッチＰに関して、これらの寸法が表１に与えられている。
【００８９】
表１
ｄSH              ．５Ｐ
ｄSW              ．１６Ｐ
ｄe               ．２５Ｐ
図８Ｂは他のカラーピクセル構造を示している。この構造は４つのサブピクセル素子８３０，８３２，８３４，８３６を有している。これらのサブピクセル素子のうちの２つ８３０，８３６は励起時に緑色光を放射し、他の２つのサブピクセル素子８３２，８３４はそれぞれ赤色光及び青色光を放射する。この構造は、４サブピクセル構造として知られている。カラーディスプレイ内における輝度情報の多くが赤や青のピクセルよりも緑のピクセルに存在するため、この構造は２つの緑色サブピクセルを使用している。したがって、２つの緑色サブピクセルを使用することによって、より鮮やかな表示が可能になる。また、ピクセル８３０，８３６が共に赤色のピクセルもしくは青色のピクセルであっても良い。幾つかのディスプレイ技術においては、赤もしくは青のピクセル材料から放射される光
の量が、緑色のピクセルから放射される光量よりも少ない場合がある。この場合には、ピクセル８３０，８３６を共に赤色のピクセルもしくは青色のピクセルにすると、ディスプレイの全体の輝度が向上する。図８Ｂに示すピクセル構造は、２つの横列電極（図示せず）及び２つの縦列電極（図示せず）を使用している。横列電極はバイア８１６’，８１８（仮想的に示されている）を介してエレクトロニクス部分に接続されている。一方、縦列電極はバイア８１０’，８１２’を介してエレクトロニクス部分に接続されている。４サブピクセル構造の幾何学的な構成は、サブピクセルの高さｄSHと、サブピクセルの幅ｄSWと、活性サブピクセル領域からピクセル領域の縁部までの距離ｄeと、隣接するサブピクセル間の距離ｄIとによって規定される。本発明の好適な実施形態のため、これらの寸法が表２に与えられている。
【００９０】
表２
ｄSH              ．２５Ｐ
ｄSW              ．２５Ｐ
ｄe               ．１２５Ｐ
ｄSI              ．２５Ｐ
図８Ａ及び図８Ｂは、水平方向及び垂直方向で等しくなるように距離ｄe，ｄSIを示しているが、これらの値が異なっていても良い。図８Ａ及び図８Ｂに示す好適なピクセル構造はいずれも、約２５％のピクセル開口を形成するために、活性ピクセル領域がピクセル領域の約２５％を占めている。この値は単なる一例にすぎない。本発明では、ピクセル開口が大きくてもまた少なくても良い。
【００９１】
図３，４，８Ａ，８Ｂを参照して前述したように、組み立てられたタイルのエレクトロニクス部分は、ディスプレイタイルの領域全体にわたって個々の横列及び縦列電極に対する電気的な接続を形成する接続プレート３３２を有している。図９，１０Ａ，１０Ｂはこれらの接続部を形成する好適な方法を示している。図９は、破線のボックスとして示された接続プレート３３２を有する好適なタイルの正面図である。分かり易くするため、絶縁層３３０は除かれている。また、図９は２つの横列電極３２８Ａ，３２８Ｂと２つの縦列電極３２２Ａ，３２２Ｂとを含んでいる。縦列電極３２２Ａは、バイア９１４を介して接続プレート３３２Ａに接続されるように示されている。縦列電極３２２Ｂは、バイア９１６を介して接続プレート３３２Ｄに接続されるように示されている。横列電極３２８Ａ，３２８Ｂは、バイア９１０，９１２をそれぞれ介して各接続プレート３３２Ｂ，３３２Ｃに接続されるように示されている。
【００９２】
図１０Ａ及び図１０Ｂは、図９のＦ１０Ａ線及びＦ１０Ｂ線に沿う断面図をそれぞれ示している。図１０Ａ及び図１０Ｂは図９から除かれた絶縁層３３０を含んでいる。図９に示すように、縦列電極３２２Ｂに対する接続部９１６は活性ピクセル素子間に位置するディスプレイタイルの領域に形成されている。したがって、図１０Ａは、フロートガラス基板３２０、縦列電極３２２、絶縁層３３０、接続プレート３３２Ｄ，３３２Ｅだけを示している。接続プレート３３２Ｄと縦列電極３２２Ｂとの間のバイア９１６は、絶縁層３３０の孔３３１を貫通するように形成されている。印刷プロセスで使用される銀のペーストやインクが孔３３１を通じて流れて縦列電極３２２Ｂに接触することができるように接続プレートがエレクトロニクス部に形成される場合に、このような接続が形成される。
【００９３】
図１０Ｂは、横列電極に対する接続部を形成する好適な方法を示している。図９に示すように、横列電極に対する接続部は、活性ピクセル素子３２４を含むディスプレイ部分上に形成される。図１０Ｂに示すディスプレイの部分は、ガラス基板３２０と、透明な縦列電極３２２と、ディスプレイ材料３２４と、横列電極３２８Ｂとを有している。図９に示すように、接続プレート３３２Ｂはバイア９１０を介して横列電極３２８Ｂと接触する。この接続部は絶縁体３３０の孔３３１を通じて形成される。図１０Ｂに示すように、複数の孔が設けられ、接続プレート３３２Ｂと横列電極３２８Ｂとの間の接続部が複数の個所で形成されている。これらの複数の孔は、完成されたディスプレイタイルにおける歩留りを向上させる冗長性を与える。図１０Ｂは、接続プレート３３２Ｂと横列電極３２８Ｂとの間の接続部が各ピクセル３２４間の隙間に形成されていることを示しているが、これらの接続部は横列電極３２８Ｂに沿うどのような場所に形成されても良く、活性ピクセル素子間の隙間に限定される必要はない。
【００９４】
図１０Ａには示されていないが、縦列電極に対する接続部は、接続プレートに沿って複数の位置に形成されている。例えば、図９では、接続プレート３３２Ｄと縦列電極３２２Ｂとの間の接続部を示す３つのバイア９１６が存在する。
【００９５】
各接続プレートは横列電極もしくは縦列電極の一方だけと電気的なコンタクトを形成するため、ディスプレイタイル内に設けられる接続プレートの数は、タイル内の縦列の数と横列の数との合計以上であることが望ましい。本発明に係る好適なタイルにおいては、横列が２８個で縦列が３２個のピクセル素子が存在する。したがって、タイルのディスプレイ部分及びエレクトロニクス部分には少なくとも６０個の接続プレート及び接続パッドがなければならない。好適なタイル上には全体で８９６個のピクセル位置が存在している。各接続プレート及び接続パッドの間で良好な分離状態を可能にするため、各接続プレートは２×６の行列内に配置される１２個のピクセル位置を覆っても良い。接続部が縦列電極に対して形成される位置は、接続部が横列電極に対して形成される位置よりもかなり制限されるため、好適な接続プレートは、２つの横列ピクセル位置×６つの縦列ピクセル位置を覆っても良い。
【００９６】
ＩＴＯはアルミニウムや銀ほど良好な導体ではないため、エレクトロニクスモジュール１３４が縦列電極に接続される位置から縦列電極に沿って抵抗電圧降下を与えても良い。これらの抵抗電圧降下の大きさを減少させるため、縦列電極に沿った複数の離間位置でエレクトロニクスモジュールを各縦列電極に接続することが望ましい。これらの離間位置は隣接していないため、各縦列電極３２２のために２つ或いは３つの接続プレート３３２を配置することが望ましい。したがって、接続プレート３３２及び接続パッド３３４の数は、横列電極の数と縦列電極の数の合計よりも多くても良い。
【００９７】
本発明では、他のタイル構成も考えられる。１つの望ましい構成は、ディスプレイの全長（全高）にわたって延び且つ例えば３２個の縦列の幅を有するタイルである。この形状を成すタイルは、水平方向（垂直方向）の位置合わせのみを必要とする。また、横列よりも多くの縦列が覆われ、縦列電極に対して接続部を形成する位置の数が、接続プレートと接続パッドとが殆ど等しいような場合よりも多くなるように、接続プレート及び接続パッドを形成しても良い。また、ディスプレイは異なる形状のタイルから形成されても良い。例えば、ディスプレイの全高にわたって広がる長いタイルを側部に設け、小さい正方形のタイルをディスプレイの中心部に設けても良い。また、異なるタイルは異なるピクセルピッチを用いても良い。すなわち、ディスプレイの側部のタイルは比較的大きなピクセルピッチを有し、ディスプレイの中心部のタイルは比較的小さいピクセルピッチを有していても良い。
【００９８】
また、本発明の好適な実施形態は、タイルのエレクトロニクス部分がディスプレイ部分と同じ寸法である例を示しているが、これらは異なった寸法であっても良い。例えば、１つのエレクトロニクス部分（図示せず）が２つの隣合うディスプレイ部分（図示せず）と同じ大きさを成していても良い。１つのタイルに組み立てられた際に、２つのディスプレイ部分が位置合わせされて１つのエレクトロニクス部分に接着される。１つの考えられる構成では、ディスプレイ装置の全体にわたって広がる１つのエレクトロニクス部分が形成され、複数のディスプレイ部分のタイルが個々にエレクトロニクス上に実装される。この構成において、エレクトロニクス部分は複数のエレクトロニクスモジュール１３２を有していても良い。
【００９９】
また、エレクトロニクス部分がディスプレイ部分より小さくても良い。すなわち、ディスプレイ全体が複数のエレクトロニクス部分（図示せず）に接着される単一のディスプレイ部分（図示せず）から成っていても良い。ディスプレイ部分とエレクトロニクス部分とを異なる寸法で製造してこれら両構成部品の歩留りを最大にすることが望ましい。複数のディスプレイ部分を単一のエレクトロニクス部分上に組み立てる場合には、隣合うディスプレイ部分間に継ぎ目が見えないようにピクセルを位置合わせすることが必要である。
【０１００】
図１２は、複数のタイル又は単一の大きなタイル上の複数のエレクトロニクスモジュールが複合ディスプレイ装置を形成するために接続される１つの方法を示している。図１２はディスプレイ装置１００を背面側から示している。好適なディスプレイ装置は複数のタイル１２０を有しており、各タイル１２０は１つのエレクトロニクスモジュール１３４を有している。エレクトロニクスモジュールはケーブルハーネス１２１０によって中央のコントローラに接続されており、ケーブルハーネス１２１０は中央ケーブルと複数の分岐ケーブル１２１２，１２１４，１２１６，１２１８，１２２０，１２２４，１２２６を有している。本発明の好適な実施形態において、各タイルは４つの導電ラインに接続されており、そのうちの２つの導電ラインは操作電力を供給し、他の１つの導電ラインはデータ信
号を伝達し、残る１つの導電ラインはタイミング情報を伝達する。ディスプレイの操作電力ラインは複数のタイル間で共有されている。しかしながら、本発明のこの好適な実施形態における信号ラインは共有されていない。各タイルのエレクトロニクスモジュール１３４にアドレス回路を設けることによって、ディスプレイ装置全体で信号ラインとタイミングラインとが共有されても良い。この構成では、各モジュールがタイルのアドレス領域のデータ部分だけを認識して記憶する。
【０１０１】
図１１Ａは、電気的にデータ及びタイミング信号を受ける図３に示すような好適なタイプのタイル１２０の背面図である。図１１Ａに示すタイルは、電子回路１３４’と、回路基板３１２上に全体にわたって実装される複数の導電トレース１１１４とを有している。図１１Ａに示すように、操作電力信号６１２は、データ及びタイミング信号６１０と同様に、コネクタ１１１２を介して受けられる。図１２を参照して後述するように、図１１Ｂに示すタイルは同様の方法でディスプレイに形成されている。図６を参照して前述したように、操作電力信号が全てのタイル間で共有され、その一方で、タイミング及びデータ信号が各タイルに個別に割り当てられても良い。また、データブロードキャストから全てのタイルへとデータを選択的に分離するために各タイルがアドレス回路を有している場合には、タイミング及びデータ信号が全てのタイルで共有されても良い。
【０１０２】
図１１Ｂは、タイミング及びデータ信号を電気的にではなく任意に受ける他のタイプのタイル１２０の背面図である。このタイルは、エレクトロニクスモジュール１３４と、回路基板３１２上に形成された複数の導電トレース１１１４とを有している。しかしながら、図１１Ｂに示すエレクトロニクスモジュール１３４は、コネクタ１１１２で操作電力のみを受けるために接続されている。データ信号及びタイミング情報は、エレクトロニクスモジュール１３４の一部を成すオプティカル・カップリング１１１０を介してモジュール１３４に伝えられる。好適なオプティカル・カップリング１１１０は、１又は複数の光ファイバを直接的な接続で受けても良く、また、放送タイミング及びデータ信号を受ける感光性領域を有していても良い。放送信号が受けられる場合には、特定のタイルにアドレスされるデータを抽出してそのデータだけをディスプレイのために記憶するために、エレクトロニクスモジュール１３４がアドレス回路を有していても良い。図１１Ｂに示す電子回路１３４の使用に適した光インターフェイスは、ＵＳＰ５，２８１，８０５に開示されている。このＵＳＰは、ＳａｕｅｒによるＯＰＴＩＣＡＬ−ＩＮＰＵＴ  ＬＡＴＣＨ−ＣＩＲＣＵＩＴ  ＣＥＬＬ  ＡＲＲＡＹと題されており、光インターフェイスに関する教示内容として参照することにより本願に組み入れられる。
【０１０３】
図１３は、本発明に係る好適なタイル組立体の分解正面図である。この好適な組み立てられたディスプレイ装置１３０はフレーム１３１０を有しており、フレーム１３１０内には強固な背面パネル１３１２が装着されている。背面パネルは、複数のディスプレイタイル１２０のそれぞれに操作電力を供給するためのコネクタ１３１６と、組み立てられたディスプレイ装置の各タイル１２０にデータ及びタイミング情報を供給する１対のコネクタ１３１８（図１３にはそのうちの１つだけが示されている）とを有している。コネクタ１３１６，１３１８は、半田タイプの接続部であっても良く、或いは、プラグタイプの接続部であっても良い。例えば個々のタイルに容易にアクセスすることが望ましいような場合には、ディスプレイ内の欠陥タイルを交換することができる点で、プラグタイプの接続部の方が望ましい。図１３に示す好適なディスプレイは、背面パネル１３１２上にタイル１２０を個々に装着した後、背面パネルとタイルディスプレイとの組立体をフレーム１３１０に装着することによって組み立てられても良い。その後、組み立てられたディスプレイは、タイルを保護するように作用するフロートガラス（図示せず）によってカバーされる。なお、フロートガラスは、背面パネル１３１２及びフレーム１３１０とともに、組み立てられたディスプレイ装置１００のための密封シールを形成するように作用しても良い。略一定のピクセル間隔を維持するため、タイル間の隙間は狭い許容誤差（公差）の範囲内に維持されることが望ましい。タイル１２０の背面上及び背面パネル１３１２上に形成されるコネクタの公差は精密であることが望ましい。
【０１０４】
図１３に示す構造に代わるものとして、図１４に示すような自動位置合わせ構造を使用しても良い。この構造は、図１３に示す構造のような正確な製造公差を必要としない。図１４において、フレーム１４１０は複数のバネ部材１４１８を有している。また、電力、タイミング、データ信号は、柔軟な各コネクタ１４１６によって個々のタイルに伝えられる。また、コネクタ１４１６は、タイルを前方に押圧してフロートガラスフロントプレート（図示せず）に接触させる。コネクタ１４１６は、配線用ハーネス１４２２によって電力・データ・タイミング信号を受けるように接続されている。図１４に示す本発明の好適な実施形態において、各タイルは、フレーム１４１０内で、その対応する柔軟なコネクタ１４１６上に装着される。タイルの横列及び縦列が完全に組み立てられると、フレーム１４１０のバネ１４１８は、破線ボックス１４２０によって示された領域に向けてタイルを付勢するようになる（タイルを領域内に制限するようになる）。全てのタイルがフレーム１４１０内に組み付けられると、バネ１４１８はタイルを一直線上に保持するようになる。自動位置合わせ構造を補強するため、各タイルの両縁部に補助的なパターン（図示せず）が形成され、隣合うタイルのパターンが係合することによってタイルが一直線上に保持されるようになっていても良い。例えば、１つのタイルの両縁部が補助的な鋸歯状の縁部によってパターン化され、鋸歯状の縁部によって各タイルがその隣合うタイルと１方向でのみ係合し得るようにする。このような縁部パターンは、ディスプレイ部分又はエレクトロニクス部分上に形成されても良い。このようなパターンをエレクトロニクス部上にだけ
形成すると、ディスプレイ部の縁部の組立が容易となるため、有益である。図１４に示された構成は、図１３に示す構成において必要とされるような構成部品の正確な組立が必要ないため、有益である。
【０１０５】
図１５から図１９は、複数のタイル１２０を接合して複合タイル張りディスプレイ１００を形成する他の好適な方法を示している。無論、タイル張りディスプレイのタイル間には物理的な隙間が存在する。このような物理的な隙間を観察者が視認できないようにすることが望まれる。この場合において、「視認できない」とは、ピクセルから放射されて前記隙間で散乱もしくは反射された光が観察者によって観察されないこと、また、観察者が物理的な隙間を検知できるような外部の視線が存在しないことを意味している。
【０１０６】
ＣＲＴ又は投影ディスプレイを使用した最新技術のタイル張りディスプレイは、物理的な隙間を隠すために個々のディスプレイ間に中方立てを使用しているが、これらの中方立ては、観察者によって視認でき、また、画像の連続性を破壊してしまうことから観察者にとって不愉快なものである。したがって、隙間を視認できないようにするために使用されるいずれの構造も画像の連続性を破壊しないことが望ましい。
【０１０７】
タイル張りディスプレイ及びタイル張りでないディスプレイの両方において共通に見られる他の構造は、黒色マトリクスである。黒色マトリクスは黒色のラインによって形成されても良い。黒色マトリクスは、ピクセルの活性領域間に設けられ、これらの領域で周囲の光を吸収してディスプレイのコントラストを向上させる。黒色マトリクスのラインは、例えば、ＣＲＴのフロントスクリーンの蛍光体同士の間もしくは液晶ディスプレイのために規定されたピクセル位置間で見られる。タイル張りディスプレイにおいて、黒色マトリクスのラインは、一般に中方立てよりも小さく、一般にピクセルの平面内に配置される。黒色マトリクスのラインは周期的であり且つピクセル間に配置されているため、黒色マトリクスのラインが画像の連続性を破壊することはない。
【０１０８】
本発明は、タイル間の物理的な隙間と黒色マトリクスとを見分けることができなくする、したがって、観察者によって視認できなくする光学構造をタイル張りディスプレイに組み込んで使用している。このような構造が図１９に示されている。図１９は部部的に組み立てられたディスプレイ装置の斜視図である。図１９に示す主要な構成部品は、フレーム２０１４、例えばガラスやプラスチックから成る透明シート２０２０、黒色マトリクスを形成する複数の黒色ライン２０１０、ディスプレイを形成する複数のタイル１２０である。光学集積構造の重要な特徴は、黒色マトリクスラインと同様な黒色ライン２０１０の模様である。この場合、これらの黒色ライン２０１０は、等しい幅を有し、ピクセルのピッチと等しい間隔を有している。これらの黒色ライン２０１０は、タイル１２０間の隙間２０１２の両側のピクセルを含むディスプレイの全てのピクセル間で延在するように位置合わせされる。また、黒色ラインの光学集積パターンは中方立てと同様である。すなわち、光学集積構造の黒色ラインの幾つかは、ディスプレイタイル間の隙間上で延在しており、隙間を視認できないようにしている。組み立てられると、タイル１２０のガラス基板３２０は、透明シート２０２０の背面上にある集積構造を形成する黒色ライン２０１０に隣接して位置される。
【０１０９】
従来の黒色マトリクスとは異なり、集積ディスプレイタイルの前述した光学構造は、黒色のラインパターンがディスプレイタイルと接触するように、タイル１２０の観察側で、ピクセルを含む平面の上側（中方立てと同様）に配置される。中方立てと異なり、光学集積構造２０２０の黒色ラインは比較的狭く、そのため、中方立てを覆う黒色ラインは、黒色マトリクスを形成する黒色ラインと実質的に同じ幅となる。したがって、前述の構造は、黒色マトリクスの機能と中方立ての機能とを同時に与えるが、光学集積構造２０２０のパターンの全てのラインが実質的に同一で殆ど見分けがつかないため、観察者が中方立てのラインを視認することはできない。したがって、観察者は、黒色ラインの均一なパターンを単に見るだけとなる。本発明のこの形態の重要な特徴は、前述した光学集積構造の黒
色ライン及び中方立てのパターンの正確な仕様（規格）である。この規格においては、タイル間の物理的な隙間が観察者から隠され、また、同時に、放射された光のディスプレイからの出射が妨げられることは殆ど或いは全くない。また、黒色マトリクス及び中方立ては、たとえタイル間の隙間にわたってでさえも、大きな画像の連続性を損なうことはない。
【０１１０】
図１９に示された光学集積構造をより分かり易く説明するため、別個の複数の中方立てを使用してタイルを接合する方法についてまず説明する。図１５は本発明に係る２つのタイル１２０の一部の断面である。これら２つのタイルは１つの中方立てによって接合される。各タイルは、ガラス基板３２０とタイル構造の残り部分１５１０とを有している。好適なタイルは、ガラス基板３２０の底面の近傍に配置された活性ディスプレイ材料１５１４を有している。また、好適なタイルは、中方立て１５１２と、黒色マトリクスの一部を成す黒色ライン１５１３とを有している。
図１６は、本発明に係るディスプレイ装置との使用に適した好適な中方立て１５１２の斜視図である。中方立て１５１２は上面１６１０を有しており、この上面１６１０は、黒色の材料によって形成しても良く、或いは、黒色を印刷もしくは塗布しても良い。中方立てがディスプレイ装置上にアーチファクトを形成しないように、中方立ての上面は、寸法と色と光沢とに関して、黒色のストリップと非常に調和していることが望ましい。また、中方立て１５１２は、好ましくは薄い色（例えば白）の材料から成る側面１６１２を有する低部脚を備えている。また、中方立ての底部脚は、透明であっても良く、また、フロートガラス基板３２０の屈折率と略同じ屈折率を有していても良い。中方立ての近傍で散乱された光が、タイルの内側のピクセル間で散乱された光と同じ特性を有するように、中方立ての底部脚は薄い色もしくは透明であることが望ましい。光の散乱がタイルの縁部と中央部とで異なる場合には、縁部は、例えば表示画像の輝度が低下した帯として視認され得る。接合される２つのタイルに中方立て１５１２を取りつけるために、１又は複数の側面１６１２及び中方立てのトップバーの裏面１６１４に接着剤を塗布しても良い。これら全ての面に接着剤が塗布される場合には、複数のタイルを接合して１つのディスプレイ装置を形成するために複数の中方立てが使用される。
【０１１１】
放射ディスプレイのガラス基板の前面に対する黒色ストリップもしくは中方立ての最適な位置を決定するためには、ディスプレイによって放射された光の特性を理解することが役立つ。図１７は、底面１７１０と上面１７１２とを有する好適なガラス基板３２０の断面を示している。幾つかの代表的な光線１７１４，１７１６，１７１８が底面１７１０上の一点から発せられるように示されている。幾つかの光線１７１４はガラスから出射され、また、幾つかの光線１７１８は上面から内側に全反射されてガラスシートに捕らえられる。これら２つのタイプの光線の変わり目が光線１７１６である。光線１７１６は、基板３２０の上面１７１２と平行な角度で反射される。
【０１１２】
変わり目である光線１７１６の入射角は臨界角（ΘC）と呼ばれている。臨界角よりも小さい角度で面１７１２に到達した光はガラスから出照され、臨界角よりも大きい角度で面１７１２に到達した光は内側に全反射される。方程式（１）に示すように、臨界角はガラス基板３２０の屈折率ｎglassに依存している。
式１
ΘC＝Ｓｉｎ-1（１／ｎglass）
本発明の好適な実施形態において、ｎglass＝１．５５、ΘC≒４０°である。
【０１１３】
タイル張りディスプレイは、整列して配置される複数のタイルから成り、タイル間の隙間を横切るピクセル間の隙間が、ディスプレイタイル内のピクセル間のピッチと実質的に同一である。したがって、ディスプレイタイルの縁部は、最後のピクセルの中心からピッチの１／２の距離（或いは、これよりも僅かに小さい）にある。臨界角度に起因して、ガラスシート内の一点から放射された光は、最大で横方向距離ｄC＝ｔglassＴａｎ（ΘC）だけ進むことが可能である。ここで、ｔglassはガラスの厚さである。したがって、幅Ｗm＞２ｄCをもつ黒色ストリップを隙間領域にわたって配置することにより、隙間領域の任意の部分からの光を遮断しても良い。そのような黒色ストリップが中方立て１５１２の上端として図１８に示されている。光学的に対称であることから、同一の黒色ストリップにより、任意の外部光線は隙間領域を視認不可能にする。すなわち、この黒色ストリップは、観察者が隙間領域を視認できないようにする。実際に、黒色ストリップは、限定された隙間の幅に当てられる２ｄCよりも僅かに広くなければならない場合があるかもしれない。
【０１１４】
図１９の構図を再び参照すると、個々のタイルは別個の中方立てによって接合される必要がない。その代わり、タイルが光学集積構造２０２０の黒色の表面上に直接に組み付けられ、幅Ｗmを有する黒色のストリップ上に直接にタイル同士の隙間が位置付けられる。図２０及び図２０Ａに示すように、好適な光学集積構造２０２０は、光学集積構造の表面上の黒色ラインがタイルのガラス基板３２０と接触されるように、タイルの配列の上面に位置決めされる。観察者が隙間領域を見ることができないように、黒色ラインの中心はタイル間の隙間と位置合わせされる。本発明のこの実施形態は別個の中方立てを必要としないが、タイルが中方立て１５１２によって接続される場合には、集積構造２０２０は、中方立ての上面１６１０を覆う黒色ラインを有していても良い。この場合、タイル１２０の上面と集積構造２０２０の黒色の表面との間の隙間が最小となるように、中方立てのトップバーはできる限り狭いことが望ましい。また、中方立て１５１２が黒色マトリクスラインを有する集積構造２０２０上に組み付けられても良い。この構成において、中方立ては、複合ディスプレイを形成するためにタイル１２０が挿入されるポケットを形成する。このような構造は、接着剤を使用して集積構造２０２０に直接に中方立てを取りつけ、その後、タイルをディスプレイ内に挿入する前に、中方立てのクロスバー１６１０の裏面及び低部脚の側面に接着剤を塗布することによって形成されても良い。
【０１１５】
タイル間の隙間を覆うために使用される中方立てを形成する光学集積構造２０２０上の黒色ラインは、一般的な黒色マトリクスラインよりも幅が広く、タイルの縁部近傍にあるピクセルから放射される光の一部もしくは全部を遮断しても良い。透過する光の量を最大にし且つ組み立てられたディスプレイ装置内でアーチファクトの歪みが生じないように、ディスプレイタイルと集積構造２０２０の黒色ストリップは、特定の関係をもって特別に設計されることが望ましい。
【０１１６】
図１９は、２つのピクセル領域を有する２つのタイル１２０の部分の断面を示している。ガラス基板３２０の低部にある放射領域１９１０の幅はｄPに設定されている。ガラス領域から出照することができ且つ観察に役立つ光線は、ガラス３２０の上面の幅Ｗ＝２ｄC＋ｄPの領域から出照される。ディスプレイタイルは、ピクセルピッチＰとして知られた距離で等間隔で離間された複数のピクセルの配列を有している。したがって、観察可能な任意の光を遮断しないように、黒色マトリクスの幅Ｗmは、Ｗm＜Ｐ−ｄP−２ｄCのように設定されていることが望ましい。図１９に示す寸法は、黒色のマトリクスストリップが隙間を完全に隠し且つ放射光を全く遮断しない場合を示している。
【０１１７】
黒色マトリクスを形成する黒色ストリップと中方立てのトップバーとが満たすべき幅寸法の基準が２つある。すなわち、Ｗm＞２ｄC（隙間２０１２を隠すため）とＷm＜Ｐ−ｄP−２ｄC（ピクセルからの光が遮断されないようにするため）である。最も望ましい解決策は、ガラスの厚さを最大に設計することである。この場合、２つの基準の両方が満たされる。このような設計点は、ガラスの厚さがピクセルピッチＰ×０．１５であり、黒色ストリップの幅がピクセルピッチＰ×０．２５である場合に満たされる。このような状態を満たすようにディスプレイタイルと黒色マトリクスストリップとを設計すると、光学集積構造の裏側に各タイルを集積することによって広い面積のディスプレイを形成しても、各タイル間の隙間を検知することはできない。
【０１１８】
ガラス基板３２０の厚さ及び黒色ストリップの幅が前述した基準を満たしている場合、ディスプレイの前方（例えば通常の角度からの観察）にいる観察者に向けて直接に方向付けられる光は全く遮断されないが、大きな視角から来る幾らかの光は遮断される場合がある。しかしながら、これらの基準を満たせば、黒色マトリクスによって占められるディスプレイの領域が広くなるため、コントラストを向上させることができる。すなわち、より広い視角からの光のある程度の遮断は、通常の視角における高コントラストの利益のように、許容範囲であるとみなして良い。
【０１１９】
前述したように、本発明の好適な実施形態において、ピクセル内にバイアのための空間を確保して縦列電極との電気コンタクトを形成するために、タイル上のピクセルは約２５％の開口を有している。したがって、本発明の好適な実施形態において、ｄPは約Ｐ／２である。また、この比較的小さな開口は、タイル間の隙間を隠すことを容易にし且つ比較的大きな黒色マトリクスストリップによりディスプレイのコントラストを向上させることができるという利点を有している。
【０１２０】
集積構造２０２０の観察側を反射防止コーティングでコーティングしたり、光学集積構造２０２０の表面上や光学集積構造２０２０を構成する材料（例えばガラスやプラスチック）中に周辺の光を吸収する吸収体やカラーフィルタを設けたりすることによって、コントラストを向上させても良い。
【０１２１】
集積構造２０２０は観察側の面にディフューザコーティングを有していても良い。このディフューザは、個々のピクセル及び黒色マトリクス構造の視認性を低下させるピクセルの見かけの大きさを増大させる。すなわち、ディフューザは、表示画像の粒状性を低下させるように作用する。このことは、特に比較的大きなピクセルを有するディスプレイ装置や、ピクセルは小さいけれどもディスプレイ装置の近傍に接近して観察するように設計されているディスプレイ装置において重要である。ピクセル構造の視認性を低下させる他の方法は、互いに離間する４つのサブピクセルが１つのカラーピクセルを形成する図８Ｂに示すような４ピクセル構造を使用することである。
【０１２２】
また、集積構造２０２０は、ディスプレイタイルを位置合わせして装着する簡単な方法を提供する。特に、集積構造２０２０上のパターンが例えばモアレ模様を使用して複数のピクセルと正確に位置合わせされ、これによって、１つのタイルが位置決めされて、その後、そのタイルが光学的に明瞭な接着剤によって構造２０２０上に装着されても良い。
【０１２３】
前述した本発明の実施形態はＯＬＥＤディスプレイ装置に関するものであるが、同様の考えが他のタイプのディスプレイタイルで採用されても良い。図２０から図２３を参照して後述される例は、陰極発光ディスプレイに関するものである。陰極発光ディスプレイは、電界放出ディスプレイ（ＦＥＤ）のような比較的低電力な装置或いは熱陰極を使用するジャンボトロンのような高電力装置であっても良い。
【０１２４】
広告用ディスプレイを形成するために一括してタイル張りされる陰極発光モジュールに関する現在の考えでは、各カラーサブピクセルに対して１つの陰極が必要とされる。例えば、４ピクセル×４ピクセルのカラーモジュールは、４個の横列と１２個の縦列とから成る陰極の配列を必要としている。同様に、４個の横列に対して４つのリード線が必要となり、また、ＲＧＢ縦列の４つのトリプレットに対して１２個のリード線が必要となり、小計で１６個のリード線が必要になる。別に２つのリード線も必要となる。すなわち、その１つは陽極電位であり、もう１つは制御グリッドに電力を供給するためのものである。したがって、リード線の数は合計で１８個になる。
【０１２５】
本発明に係る陰極発光タイルは、リード線と陰極の数を大幅に減少するために設けられており、その上、他の性能上の利点を有している。ここに開示されている考えでは、各陰極発光タイルは、スクリーン上に配列される複数のカラーピクセルと、単一の陰極と、カラーピクセルのスクリーンを横切るビームをラスターするために使用されるＸＹ電界集束／偏向グリッドとを有している。４×４モジュールは、Ｘ集束／偏向プレートのための２つのリード線と、Ｙ集束／偏向プレートのための２つのリード線と、陰極及び制御グリッドのそれぞれに１つずつのリード線と、陽極のための１つのリード線とを有している。したがって、本発明に係る４×４ピクセルタイルは、１８個のリード線を必要とする従来の構成と異なり、７個のリード線だけを使用する。
【０１２６】
静電偏向は全体で６０°以下の偏向角を与えても良い。大きな角度は、高電力を必要とし、ビームの歪みをもたらすが、必要であれば、より薄いモジュールのために設けられる。  例えば、本発明に係る３”対角線モジュールは、２．５から３”の深さである。
【０１２７】
モジュールは、電子の熱イオン源又は電界エミッタの配列のいずれかとともに実施されても良い。熱イオン源は長尺体もしくは正方形となり得る。正方形の熱イオン源は、各正方形のピクセルがＲＧＢ領域及びＧ領域から成る４つの正方形のカラーサブピクセルに分割される（すなわち、４サブピクセル構造）スクリーンとの使用に適している。長尺な熱イオン源は、ＲＧＢ蛍光体の長尺な領域に分割される正方形のピクセル（すなわち、３サブピクセル構造）に適している。
【０１２８】
陰極の数は、例えば、３×４×４から１へと減少するため、本発明に係る陰極発光ディスプレイは、製造コストを大幅に節約することができる。また、各モジュールに単一の陰極を使用しているため、４８個の陰極の性能と殆ど差異はない。
【０１２９】
図２０は本発明に係るタイルの断面図である。この好適なタイルは支持構造２１１１上に陰極２１１０を有している。陰極２１１０からの放射は、制御グリッド２１２０によって制御され、ｘ集束／偏向グリッド２１１６及びｙ集束／偏向グリッド２１１８によって偏向される。陰極２１１０とグリッド２１２０，２１１６，２１１８は、モジュールのフェイスプレート２１１０上に装着されてアルミニウム処理された蛍光体スクリーン２１１４に向かう電子の流れを形成する。フェイスプレートは、アルミニウム処理された蛍光体スクリーン２１１４に電気的に接続される導電コーティング（図示せず）を有するガラス側壁２１２２とバックプレート２１２４とを備える物理的構造の一部である。この物理的構造は、密封シールされており、物理的構造内を真空にするためにエアーが吸引される排
気ポート２１３０を有している。また、モジュールは、陰極と制御グリッドとｘｙ集束／偏向グリッドとに対する電気的な接続を含む複数のリード線２１２８を有している。また、モジュールは、側壁２１２２の内側の導電コーティングに接続される陽極供給源２１２６を有している。
【０１３０】
図２１は、フェイスプレートと蛍光体スクリーンとが取り除かれた好適なタイルの正面図である。図２１は、熱陰極２１１０と制御グリッド２１２０とｘ集束／偏向グリッド２１１６とｙ集束／偏向グリッド２１１８の好適な一構成を示している。図２２は、図２１の熱陰極が電界放出陰極のパターンに取って代えられた点を除き、同様の構成を示している。図２１に示す構造は、光を放射するために蛍光体を横切って選択に走査される電子線を形成し、一方、図２２に示す構造は、定形蛍光体を作動させるのに適した或いは複数の蛍光体を作動させるのに適した定形電子ビームを形成する。
【０１３１】
図２３は、達成可能な多くの異なる照明技術を示す本発明に係る好適な陰極発光タイルの正面図である。この好適なタイルは４サブピクセル構造の単一のカラ
ーピクセルを有しており、このカラーピクセルは、２つの緑色の蛍光体領域２４１０，２４１６と、１つの赤色の蛍光体領域２４１２と、１つの青色の蛍光体領域２４１４とを有している。破線２４１８は、図２１に示すような陰極によって形成される走査線を示している。この走査線は、ピクセルを横切って走査される電極の扇形ビームによって形成される。白色のピクセルを放射するため、ビームは、全ての蛍光体領域２４１０から２４１６を横切って繰り返し走査される。緑色のピクセルを放射するため、ｙ偏向電極が制御されて、ビームが蛍光体領域２４１０，２４１６の上方にだけ偏向されても良い。赤色もしくは青色のピクセルを放射するため、蛍光体領域２４１２又は蛍光体領域２４１４だけを横切って走査するようにビームが偏向されても良い。黄色のピクセルを放射するため、ビームは蛍光体領域２４１２，２４１６だけを走査しても良く、一方、シアンピクセルを形成するために、ビームはピクセル２４１０，２４１４だけを走査しても良い。
【０１３２】
正方形領域２４２０は、電界放出装置の配列によって形成される電子ビームを示している。このビームは、蛍光体領域を形成しており、したがって、個々の蛍光体領域を照明するのに適している。このビームは扇形ビーム２４１８と同じ方法で走査されても良い。また、このビームは、底部の横列もしくは上部の横列で１つの蛍光体領域を照明するために、ｙ方向に偏向されても良い。複数の蛍光体領域にわたってビームを広げるために、ｘ軸とｙ軸の一方もしくは両方でビームが焦点から拡散されても良い。
【０１３３】
定形ビームの偏向及び焦点拡散の一例が図２３に要素２４１８として示されている。この場合、ビーム２４２０のような正方形ビームは、傾斜ビームを形成するためにｘ方向及びｙ方向の両方向で偏向され、また、ピクセル領域２４１２，２４１４の相対的な排除部分に対してピクセル領域２４１０，２４１６を照明するために焦点が拡散される。
【０１３４】
図２４から図３０は、図２０から図２３に示されたディスプレイよりも高い輝度を与える他の陰極発光ディスプレイ形態を示している。高い輝度は、同じ数の外部コンタクトと１つの別個のコンタクトとを使用して達成される。
【０１３５】
図２４はフェイスプレートと蛍光体スクリーンとが取り除かれた好適なタイルの正面図である。図２４に示すタイルは、ディスプレイのサブピクセルの各横列のための４つの陰極を有している。このタイルのための好適な蛍光体構成については図３０を参照して後述する。図２４に示すように、好適な陰極発光タイルは、４つの熱陰極２５１４と、各熱陰極に対応して設けられた４つの制御グリッド２５１２と、一対のｘ集束／偏向グリッド２５１０とを有している。図２４に示すディスプレイは、ｙ集束／偏向グリッドを全く有していない。図３０において、破線３１１０は陰極２５１４によって形成される電子ビームを示している。これらのビームは、矢印３１１６によって示すように、ｘ偏向グリッド２５１０によりサブピクセルの４つの横列にわたって走査される。各制御グリッド２５１２は別個の外部接続部を有しており、全ての陰極２５１４が一括して接続される。陰極２５１４によって形成される電子ビームを選択的にＯＮ／ＯＦＦしてサブピクセル３１１４を選択的に照明するために、個々の制御グリッド２５１２が変調されても良い。図２５は、図２４の熱陰極がパターン化された電界放出陰極２５１６に取って代えられた点を除き、同様の構成を示している。図２５に示す構成は、定形蛍光体の作動により適した定形電子ビームを形成する。図２５に示す陰極の配列によって形成される好適な走査が図３０に要素３１１２として示されている。
【０１３６】
図２４及び図２５に示すディスプレイにおいて、電子ビームのｘ方向への偏向は静電的に達成される。しかしながら、静電偏向ユニットの代わりに電磁偏向回路が使用されても良い。陰極発光ディスプレイのピクセル構造は略同一であるが、ｘグリッド２５１０が集束グリッドとしてのみ作用し、そのため、一括して結合されて、外部の単一の信号コネクタから供給される点が異なる。
【０１３７】
図２６から図２９はｘ方向にだけ電磁偏向ユニットを使用した陰極発光装置の可能な構成を示している。図２６は装置２７の斜視図である。装置２７は、底部もしくは上部から観察した際には従来のブラウン管と同様の形状を成しているが、両側から観察すると、正方形もしくは矩形状に見える。図２７の平面図に示すように、ｘ寸法偏向ヨーク２８１０がタイルの首部に嵌め付けられている。ヨーク２８１０は２つの偏向コイル２８１２，２８１４を有している。図２８及び図２９は偏向コイル２８１２，２８１４の可能な構成を示している。図２８に示すように、コイルは、１つの一様な磁場を形成して全ての電子ビームを同時に偏向するように構成されていても良い。また、図２９に示すように、コイル２８１２’，２８１４’は、別個のコイルとして形成されるとともに、陰極２５１４，２５１６によって形成される各電子ビームを走査するために個別に制御されても良い。静電偏向が使用される場合、好適なタイルは、図２１から図２３に示すタイルよりも１つ多い外部接続部を使用する。なぜなら、たとえ３つの制御グリッド接続部が付加されても、垂直な集束／偏向グリッドに対する２つの接続部が排除されてしまうからである。図２６から図２９に示すタイルにビームを集束させるためだけに静電グリッド２５１０が使用される場合には、タイルに対して必要な接続部が１つ少なくなる。したがって、タイル２７００は、図２１から図２３に示すタイルと同じ数の外部接続部を有している。
【０１３８】
陰極発光ディスプレイの寸法はＯＬＥＤディスプレイ装置の寸法よりも十分に大きいが、光学的集積構造を使用して表示素子を接合するために、また、表示素子の一括接続に使用される中方立てを隠す傾向にある黒色マトリクスを形成するために、同様の技術を適用しても良い。
【０１３９】
本発明を好適な実施形態に関して説明してきたが、添付の請求の範囲内で前述したように本発明を実施できることは言うまでもない。
【図１】
2010015163.tif 000003
【図１Ａ】
2010015163.tif 000004
【図１Ｂ】
2010015163.tif 000005
【図２】
2010015163.tif 000006
【図３】
2010015163.tif 000007
【図４】
2010015163.tif 000008
【図５】
2010015163.tif 000009
【図６】
2010015163.tif 000010
【図６Ａ】
2010015163.tif 000011
【図７】
2010015163.tif 000012
【図８Ａ】
2010015163.tif 000013
【図８Ｂ】
2010015163.tif 000014
【図９】
2010015163.tif 000015
【図１０Ａ】
2010015163.tif 000016
【図１０Ｂ】
2010015163.tif 000017
【図１１Ａ】
2010015163.tif 000018
【図１１Ｂ】
2010015163.tif 000019
【図１２】
2010015163.tif 000020
【図１３】
2010015163.tif 000021
【図１４】
2010015163.tif 000022
【図１５】
2010015163.tif 000023
【図１６】
2010015163.tif 000024
【図１７】
2010015163.tif 000025
【図１８】
2010015163.tif 000026
【図１９】
2010015163.tif 000027
【図２０】
2010015163.tif 000028
【図２１】
2010015163.tif 000029
【図２２】
2010015163.tif 000030
【図２３】
2010015163.tif 000031
【図２４】
2010015163.tif 000032
【図２５】
2010015163.tif 000033
【図２６】
2010015163.tif 000034
【図２７】
2010015163.tif 000035
【図２８】
2010015163.tif 000036
【図２９】
2010015163.tif 000037
【図３０】
2010015163.tif 000038